(57)【要約】【課題】対象物に取り付けられた所有者識別証の不正利用を防止するのに好適な所有者識別システム、所有者識別証ユニット、通信装置及びこれらを制御するプログラムを提供する。【解決手段】第１の所有者識別システム１を、自転車２と、第１の所有者識別証ユニット３とを含んだ構成とし、第１の所有者識別証ユニット３を、第１の構成部３０と、第２の構成部３１とを含んだ構成とし、第１の構成部３０を、第１の電池ユニット３０ａと、第１の電圧監視部３０ｂと、第１の取り外し検出部３０ｃと、表示処理部３０ｄと、電気泳動表示装置３０ｅとを含んだ構成とし、第２の構成部３１を、第２の電池ユニット３１ａと、第２の電圧監視部３１ｂと、第２の取り外し検出部３１ｃと、警告音出力処理部３１ｄと、スピーカ３１ｅとを含んだ構成とした。そして、第１の所有者識別証ユニット３を自転車２から取り外したときに、第２の構成部３１が自転車２に残るようにした。【選択図】      図１
2005078417.tif 000002
【特許請求の範囲】
【請求項１】
対象物の所有者を識別するための所有者識別システムであって、
所有者識別証ユニットと、通信装置と、を備え、
前記所有者識別証ユニットは、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記通信装置から送信された駆動電力生成用の電磁波から駆動電力を生成する駆動電力生成手段と、を備え、
前記通信装置は、
前記所有者識別証ユニットに駆動電力生成用の電磁波を送信する駆動電力生成用電磁波送信手段を備えることを特徴とする所有者識別システム。
【請求項２】
対象物の所有者を識別するための所有者識別システムであって、
所有者識別証ユニットと、通信装置と、を備え、
前記所有者識別証ユニットは、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備え、
前記通信装置は、
前記所有者識別証ユニットに駆動電力生成用の電磁波を送信する駆動電力生成用電磁波送信手段を備えることを特徴とする所有者識別システム。
【請求項３】
対象物の所有者を識別するための所有者識別システムであって、
所有者識別証ユニットと、通信装置と、を備え、
前記所有者識別証ユニットは、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備え、
前記通信装置は、
前記所有者識別証ユニットに駆動電力生成用の電磁波を送信する駆動電力生成用電磁波送信手段を備えることを特徴とする所有者識別システム。
【請求項４】
前記所有者識別証ユニットは、当該所有者識別証ユニットに駆動電力を供給するための電池ユニットを備えることを特徴とする請求項２又は請求項３のいずれか１項に記載の所有者識別システム。
【請求項５】
前記所有者識別証ユニットは、前記取り付け手段が粘着性を有する物質により当該所有者識別証ユニットを前記対象物に取り付ける構成となっていると共に、前記取り外し情報検出手段を２つ有しており、
当該所有者識別証ユニットが前記対象物から取り外されたときに、
前記対象物側に、前記取り外し情報検出手段の一方と、前記警告音出力手段と、前記電池ユニットと、が連携動作可能な状態で残る構成となっており、
前記所有者識別証ユニットの取り外された側に、前記取り外し情報検出手段の他方と、前記駆動電力生成手段と、前記取り外し情報表示手段と、が連携動作可能な状態で残る構成となっていることを特徴とする請求項４記載の所有者識別システム。
【請求項６】
前記所有者識別証ユニットは、前記取り付け手段が粘着性を有する物質により当該所有者識別証ユニットを前記対象物に取り付ける構成となっていると共に、前記駆動電力生成手段と、前記取り外し情報検出手段と、をそれぞれ２つずつ有しており、
前記所有者識別証ユニットが前記対象物から取り外されたときに、
前記対象物側に、前記駆動電力生成手段及び前記取り外し情報検出手段の一方と、前記警告音出力手段と、が連携動作可能な状態で残り、
前記所有者識別証ユニットの取り外された側に、前記駆動電力生成手段及び前記取り外し情報検出手段の他方と、前記取り外し情報表示手段と、が連携動作可能な状態で残る構成となっていることを特徴とする請求項３記載の所有者識別システム。
【請求項７】
前記所有者識別証ユニットは、前記対象物の所有者に係る所有者情報を記憶する所有者情報記憶手段と、前記所有者識別証ユニットが前記対象物から取り外されたと検出されたときに、そのことを示す情報及び前記所有者情報を含んで成る通知用情報を前記通信装置に送信する情報送信手段と、を備え、
前記通信装置は、前記所有者識別証ユニットから送信された前記通知用情報を取得する情報取得手段と、当該情報取得手段によって取得した前記通知用情報に基づく情報を関係者に通知する情報通知手段と、を備えることを特徴とする請求項１乃至請求項６のいずれか１項に記載の所有者識別システム。
【請求項８】
請求項１記載の所有者識別システムに適用可能な所有者識別証ユニットであって、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記通信装置から送信された駆動電力生成用の電磁波から駆動電力を生成する駆動電力生成手段と、を備えることを特徴とする所有者識別証ユニット。
【請求項９】
請求項２記載の所有者識別システムに適用可能な所有者識別証ユニットであって、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備えることを特徴とする所有者識別証ユニット。
【請求項１０】
請求項３記載の所有者識別システムに適用可能な所有者識別証ユニットであって、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備えることを特徴とする所有者識別証ユニット。
【請求項１１】
当該所有者識別証ユニットに駆動電力を供給するための電池ユニットを備えることを特徴とする請求項９又は請求項１０記載の所有者識別証ユニット。
【請求項１２】
前記取り付け手段が粘着性を有する物質により当該所有者識別証ユニットを前記対象物に取り付ける構成となっていると共に、前記取り外し情報検出手段を２つ有しており、
当該所有者識別証ユニットが前記対象物から取り外されたときに、
前記対象物側に、前記取り外し情報検出手段の一方と、前記警告音出力手段と、前記電池ユニットと、が連携動作可能な状態で残る構成となっており、
前記所有者識別証ユニットの取り外された側に、前記取り外し情報検出手段の他方と、前記駆動電力生成手段と、前記取り外し情報表示手段と、が連携動作可能な状態で残る構成となっていることを特徴とする請求項１１記載の所有者識別証ユニット。
【請求項１３】
前記取り付け手段が粘着性を有する物質により当該所有者識別証ユニットを前記対象物に取り付ける構成となっていると共に、前記駆動電力生成手段と、前記取り外し情報検出手段と、をそれぞれ２つずつ有しており、
前記所有者識別証ユニットが前記対象物から取り外されたときに、
前記対象物側に、前記駆動電力生成手段及び前記取り外し情報検出手段の一方と、前記警告音出力手段と、が連携動作可能な状態で残り、
前記所有者識別証ユニットの取り外された側に、前記駆動電力生成手段及び前記取り外し情報検出手段の他方と、前記取り外し情報表示手段と、が連携動作可能な状態で残る構成となっていることを特徴とする請求項１０記載の所有者識別証ユニット。
【請求項１４】
請求項７記載の所有者識別システムに適用可能な前記通信装置であって、
前記所有者識別証ユニットから送信された前記通知用情報を取得する情報取得手段と、当該情報取得手段によって取得した前記通知用情報に基づく情報を関係者に通知する情報通知手段と、を備えることを特徴とする通信装置。
【請求項１５】
請求項８記載の所有者識別証ユニットを制御するためのコンピュータが実行可能なプログラムであって、
前記取り付け手段によって前記対象物に取り付けられた前記所有者識別証ユニットが、当該対象物から取り外されたか否かを検出する取り外し検出ステップと、
前記所有者識別証ユニットが前記対象物から取り外されたと検出されたときに、そのことを示す情報を表示する取り外し情報表示ステップと、を備えることを特徴とする所有者識別証ユニット制御プログラム。
【請求項１６】
請求項９記載の所有者識別証ユニットを制御するためのコンピュータが実行可能なプログラムであって、
前記取り付け手段によって前記対象物に取り付けられた前記所有者識別証ユニットが、当該対象物から取り外されたか否かを検出する取り外し検出ステップと、
前記所有者識別証ユニットが前記対象物から取り外されたと検出されたときに、警告音を出力する警告音出力ステップと、を備えることを特徴とする所有者識別証ユニット制御プログラム。
【請求項１７】
請求項１０記載の所有者識別証ユニットを制御するためのコンピュータが実行可能なプログラムであって、
前記取り付け手段によって前記対象物に取り付けられた前記所有者識別証ユニットが、当該対象物から取り外されたか否かを検出する取り外し検出ステップと、
前記所有者識別証ユニットが前記対象物から取り外されたと検出されたときに、そのことを示す情報を表示する取り外し情報表示ステップと、
前記所有者識別証ユニットが前記対象物から取り外されたと検出されたときに、警告音を出力する警告音出力ステップと、を備えることを特徴とする所有者識別証ユニット制御プログラム。
【請求項１８】
請求項１４記載の通信装置を制御するためのコンピュータが実行可能なプログラムであって、
前記所有者識別証ユニットに駆動電力生成用の電磁波を送信する駆動電力生成用電磁波送信ステップと、
前記所有者識別証ユニットから前記通知用情報を取得する情報取得ステップと、
当該情報取得ステップにおいて取得した前記通知用情報に基づく情報を関係者に通知する情報通知ステップと、を備えることを特徴とする通信装置制御プログラム。
【請求項１９】
当該所有者識別証ユニットを前記対象物に取り付けるための取り付け手段と、
前記対象物の所有者に係る情報を表示する所有者情報表示手段と、
前記取り付け手段によって前記対象物に取り付けられた前記所有者識別証ユニットが、当該対象物から取り外されたか否かを検出する取り外し検出手段と、
当該所有者識別証ユニットが前記対象物から取り外されたと検出されたときに、そのことを示す情報を表示する取り外し情報表示手段と、
当該所有者識別証ユニットに駆動電力を供給するための電池ユニットと、を備えることを特徴とする所有者識別証ユニット。
【請求項２０】
前記所有者識別証ユニットが前記対象物から取り外されたと検出されたときに、警告音を出力する警告音出力手段を備えることを特徴とする請求項１９記載の所有者識別証ユニット。
【請求項２１】
前記取り付け手段が粘着性を有する物質により当該所有者識別証ユニットを前記対象物に取り付ける構成となっていると共に、前記取り外し情報検出手段及び前記電池ユニットをそれぞれ２つずつ有しており、
当該所有者識別証ユニットが前記対象物から取り外されたときに、
前記対象物側に、前記取り外し情報検出手段及び前記電池ユニットの一方と、前記警告音出力手段と、が連携動作可能な状態で残る構成となっており、
前記所有者識別証ユニットの取り外された側に、前記取り外し情報検出手段及び前記電池ユニットの他方と、前記取り外し情報表示手段と、が連携動作可能な状態で残る構成となっていることを特徴とする請求項２０記載の所有者識別証ユニット。
【請求項２２】
請求項１９記載の所有者識別証ユニットを制御するためのコンピュータが実行可能なプログラムであって、
前記対象物に関するデータを記憶するデータ記憶ステップと、
前記取り付け手段によって前記対象物に取り付けられた前記所有者識別証ユニットが、当該対象物から取り外された状態か否かを検出する取り外し検出ステップと、
当該所有者識別証ユニットが前記対象物から取り外された状態のときに、そのことを示す情報を表示する取り外し情報表示ステップと、を備えることを特徴とする所有者識別証ユニット制御プログラム。
【請求項２３】
請求項２０記載の所有者識別証ユニットを制御するためのコンピュータが実行可能なプログラムであって、
前記所有者識別証ユニットが前記対象物から取り外されたと検出されたときに、警告音を出力する警告音出力ステップを備えることを特徴とする請求項２２記載の所有者識別証ユニット制御プログラム。
【発明の詳細な説明】
【技術分野】
【０００１】
本発明は、対象物の所有者を識別するために当該対象物に取り付けられる所有者識別証の不正利用を防止するのに好適な所有者識別システムに関する。
【背景技術】
【０００２】
従来、所有者の住所・氏名や所有物の特徴等を登録し、登録された番号が記載されたシール状の防犯登録証を所有物に貼ることで、防犯登録を行う防犯登録システムがある。
また、タグを自転車の防犯登録に用いた技術として特許文献１の自転車管理システムが開示されている。これは、自転車の所有者に関する情報（自転車登録者の氏名や連絡先の情報など）を有するＩＣタグを自転車に取り付け、システム主要部の有するタグ読み取り部を介して、ＩＣタグの有するタグ識別情報に関連付けられた所有者に関する情報を読み取って表示装置などに出力することが可能なものである。
【特許文献１】特開２００２−２１６０８４
【発明の開示】
【発明が解決しようとする課題】
【０００３】
しかしながら、上記従来の防犯登録システムにおいては、登録番号の書かれたシール（防犯登録証）を剥がして、他の同種の物に貼られた防犯登録証と貼り替えることで、所有者を表わす防犯登録証が意味をなさなくなるといった問題点がある。
例えば、所有者Ａの自転車ａと所有者Ｂの自転車ｂとがあるとする。所有者Ｂが自転車ｂに貼られている防犯登録証を剥がし、自転車ａに貼られている防犯登録証と貼り替えることによって、上記従来のシステムにおいては、自転車ａは、所有者Ｂのものであると認識されてしまう。
【０００４】
また、上記特許文献１の自転車管理システムについても、上記防犯登録システムと同じく、ＩＣタグを剥がして不正に利用することが可能であり、問題点は依然として残ったままである。
そこで、本発明は、このような従来の技術の有する未解決の課題に着目してなされたものであって、対象物に取り付けられた所有者識別証の不正利用を防止するのに好適な所有者識別システム、所有者識別証ユニット、通信装置及びこれらを制御するプログラムを提供することを目的としている。
【課題を解決するための手段】
【０００５】
〔発明１〕
上記目的を達成するために、発明１の所有者識別システムは、対象物の所有者を識別するための所有者識別システムであって、
所有者識別証ユニットと、通信装置と、を備え、
前記所有者識別証ユニットは、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記通信装置から送信された駆動電力生成用の電磁波から駆動電力を生成する駆動電力生成手段と、を備え、
前記通信装置は、
前記所有者識別証ユニットに駆動電力生成用の電磁波を送信する駆動電力生成用電磁波送信手段を備えることを特徴としている。
【０００６】
このような構成であれば、所有者識別証ユニットは、取り付け手段によって、当該所有者識別証ユニットを前記対象物に取り付けることが可能であり、取り外し検出手段によって、前記取り付け手段によって前記対象物に取り付けられた前記所有者識別証ユニットが、当該対象物から取り外されたか否かを検出することが可能であり、取り外し情報表示手段によって、前記所有者識別証ユニットが前記対象物から取り外されたと検出されたときに、そのことを示す情報を表示することが可能であり、駆動電力生成手段によって、前記通信装置から受信した駆動電力生成用の電磁波から駆動電力を生成することが可能である。
【０００７】
また、通信装置は、駆動電力生成用電磁波送信手段によって、前記所有者識別証ユニットに駆動電力生成用の電磁波を送信することが可能である。
従って、一度取り付けられた所有者識別証ユニットを取り外して、他の物に取り付けても、取り外し状態表示手段によって取り外したことを示す情報が表示されるので、所有者識別証ユニットの不正使用を簡易に見抜くことが可能である。
【０００８】
ここで、上記取り付け手段は、シールによる貼り付けや、ネジによるネジ止め等によって所有者識別証ユニットを対象物に取り付けることが可能なものである。このことは、以降の発明２乃至４についても同様である。
また、所有者識別証ユニットは、薄いシート形状や対象物を構成する構成部の一部となる形状など、対象物に取り付け可能であれば、どのような形状をしていても良い。このことは、以降の発明についても同様である。
【０００９】
また、所有者識別証ユニットは、所有者を識別するための情報を有しており、この情報は、印刷や表示部への表示等により簡易に確認することができる。
また、所有者識別証ユニットは、例えば、非接触識別タグによって簡易に構成することが可能である。ここで、非接触識別タグとは、ＲＦＩＤ（Radio Frequency IDentification）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【００１０】
また、ＲＦＩＤシステムとは、媒体に電波・電磁波を用いたＩＤシステムであり、非接触識別タグが、(1) 携帯容易な大きさであること、(2) 情報を電子回路に記憶すること、(3) 非接触通信により交信することの３つの特徴を備えている。
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
【００１１】
また、ＲＦＩＤシステムの代表的な種類としては、主に、交流磁界によるコイルの相互誘導を利用して非接触識別タグとの交信を行なう電磁結合方式、 主に、２５０ｋＨｚ以下、あるいは、１３．５６ＭＨｚ帯の長・中波帯の電磁波を利用して非接触識別タグとの交信を行なう電磁誘導方式、リーダ／ライタ側のアンテナと非接触識別タグ間で、２．４５ＧＨｚ帯のマイクロ波によりデータ交信を行なうマイクロ波方式、光の発生源としてＬＥＤを、受光器としてはフォトトランジスタ等を配置し、光の空間伝送を利用して非接触識別タグとの交信を行なう光方式の４つがある。
【００１２】
また、アクセス方式は、主に、シングルアクセスモード、ＦＩＦＯ（First In First Out）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１３】
ＦＩＦＯアクセスモードは、アンテナの交信領域内に順番に入ってくる非接触識別タグと順番に交信することができる。交信を終了した非接触識別タグにはアクセス禁止処理を行なうので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１４】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行なうコマンドで実現される。このことは、以降の発明についても同様である。
【００１５】
また、取り外し状態表示手段における、表示部に電気泳動現象を利用したディスプレイ等の不揮発性の表示装置を適用することにより、一度表示した内容を電力の供給なく表示させ続けることが可能となる。ここで、電気泳動現象とは、液相分散媒中に微粒子を分散させた分散液に電界を印加したときに、分散によって自然に帯電した粒子（電気泳動粒子）がクーロン力により泳動する現象である。この電気泳動式表示装置は、表示画像保持性能（以下、「メモリ性」と称する。）を有しており、電解の印加により一度表示された画像を保持することが可能である。このことは、以降の発明についても同様である。
〔発明２〕
更に、発明２の所有者識別システムは、対象物の所有者を識別するための所有者識別システムであって、
所有者識別証ユニットと、通信装置と、を備え、
前記所有者識別証ユニットは、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備え、
前記通信装置は、
前記所有者識別証ユニットに駆動電力生成用の電磁波を送信する駆動電力生成用電磁波送信手段を備えることを特徴としている。
【００１６】
このような構成であれば、所有者識別証ユニットは、取り付け手段によって、当該所有者識別証ユニットを前記対象物に取り付けることが可能であり、取り外し検出手段によって、前記取り付け手段によって前記対象物に取り付けられた前記所有者識別証ユニットが、当該対象物から取り外されたか否かを検出することが可能であり、警告音出力手段によって、前記所有者識別証ユニットが前記対象物から取り外されたと検出されたときに、警告音を出力することが可能であり、駆動電力生成手段によって、前記通信装置から受信した駆動電力生成用の電磁波から駆動電力を生成することが可能である。
【００１７】
また、通信装置は、駆動電力生成用電磁波送信手段によって、前記所有者識別証ユニットに駆動電力生成用の電磁波を送信することが可能である。
従って、一度取り付けられた所有者識別証ユニットを取り外して、他の物に取り付けても、警告音出力手段によって警告音が出力されるので、所有者識別証ユニットの不正使用を簡易に見抜くことが可能である。
〔発明３〕
更に、発明３の所有者識別システムは、対象物の所有者を識別するための所有者識別システムであって、
所有者識別証ユニットと、通信装置と、を備え、
前記所有者識別証ユニットは、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備え、
前記通信装置は、
前記所有者識別証ユニットに駆動電力生成用の電磁波を送信する駆動電力生成用電磁波送信手段を備えることを特徴としている。
【００１８】
このような構成であれば、所有者識別証ユニットは、取り付け手段によって、当該所有者識別証ユニットを前記対象物に取り付けることが可能であり、取り外し検出手段によって、前記取り付け手段によって前記対象物に取り付けられた前記所有者識別証ユニットが、当該対象物から取り外されたか否かを検出することが可能であり、取り外し情報表示手段によって、前記所有者識別証ユニットが前記対象物から取り外されたと検出されたときに、そのことを示す情報を表示することが可能であり、警告音出力手段によって、前記所有者識別証ユニットが前記対象物から取り外されたと検出されたときに、警告音を出力することが可能であり、駆動電力生成手段によって、前記通信装置から受信した駆動電力生成用の電磁波から駆動電力を生成することが可能である。
【００１９】
また、通信装置は、駆動電力生成用電磁波送信手段によって、前記所有者識別証ユニットに駆動電力生成用の電磁波を送信することが可能である。
従って、一度取り付けられた所有者識別証ユニットを取り外して、他の物に取り付けても、取り外し状態表示手段によって取り外したことを示す情報が表示され、且つ、警告音出力手段によって警告音が出力されるので、所有者識別証ユニットの不正使用を簡易に見抜くことが可能である。
〔発明４〕
更に、発明４の所有者識別システムは、発明２又は３の所有者識別システムにおいて、前記所有者識別証ユニットは、当該所有者識別証ユニットに駆動電力を供給するための電池ユニットを備えることを特徴としている。
【００２０】
つまり、前記所有者識別証ユニットは、当該所有者識別証ユニットに駆動電力を供給するための電池ユニットを備えるので、通信装置からの駆動電力生成用の電磁波の供給が無くても、電池ユニットによって供給される駆動電力で動作することが可能である。これにより、駆動電力生成用の電磁波の届かない場所においても、警告音を出力することなどが可能となる。
【００２１】
ここで、電池ユニットとしては、アルカリ電池、有機電解液電池等の一次電池、アルカリ蓄電池、鉛酸系電池等の二次電池、太陽電池等の物理電池などから構成される。但し、電池ユニットは、上記した一次電池又は二次電池を装着可能なホルダーを有しており、これらの電池を装着することで所有者識別証ユニットに駆動電力を供給する構成でも良いし、予め電池を含んだ構成であっても良い。
〔発明５〕
更に、発明５の所有者識別システムは、発明４の所有者識別システムにおいて、前記所有者識別証ユニットは、前記取り付け手段が粘着性を有する物質により当該所有者識別証ユニットを前記対象物に取り付ける構成となっていると共に、前記取り外し情報検出手段を２つ有しており、
当該所有者識別証ユニットが前記対象物から取り外されたときに、
前記対象物側に、前記取り外し情報検出手段の一方と、前記警告音出力手段と、前記電池ユニットと、が連携動作可能な状態で残る構成となっており、
前記所有者識別証ユニットの取り外された側に、前記取り外し情報検出手段の他方と、前記駆動電力生成手段と、前記取り外し情報表示手段と、が連携動作可能な状態で残る構成となっていることを特徴としている。
【００２２】
つまり、前記取り付け手段が粘着性を有する物質により当該所有者識別証ユニットを前記対象物に取り付ける構成となっていると共に、前記取り外し情報検出手段を２つ有しており、当該所有者識別証ユニットが前記対象物から取り外されたときに、
前記対象物側に、前記取り外し情報検出手段の一方と、前記警告音出力手段と、前記電池ユニットと、が連携動作可能な状態で残る構成となっており、前記所有者識別証ユニットの取り外された側に、前記取り外し情報検出手段の他方と、前記駆動電力生成手段と、前記取り外し情報表示手段と、が連携動作可能な状態で残る構成となっている。
【００２３】
従って、不正に所有者識別証ユニットを取り外して対象物を持ち去ろうとしても、対象物側では取り外されたことが検出され警告音が出力されるので対象物を持ち去りにくくすることが可能となり、一方、取り外された側では取り外されたことが検出され取り外し情報が表示されるので、所有者識別証ユニットの不正利用を容易に見抜くことが可能となる。
〔発明６〕
更に、発明６の所有者識別システムは、発明２又は３の所有者識別システムにおいて、前記所有者識別証ユニットは、前記取り付け手段が粘着性を有する物質により当該所有者識別証ユニットを前記対象物に取り付ける構成となっていると共に、前記駆動電力生成手段と、前記取り外し情報検出手段と、をそれぞれ２つずつ有しており、
前記所有者識別証ユニットが前記対象物から取り外されたときに、
前記対象物側に、前記駆動電力生成手段及び前記取り外し情報検出手段の一方と、前記警告音出力手段と、が連携動作可能な状態で残り、
前記所有者識別証ユニットの取り外された側に、前記駆動電力生成手段及び前記取り外し情報検出手段の他方と、前記取り外し情報表示手段と、が連携動作可能な状態で残る構成となっていることを特徴としている。
【００２４】
つまり、前記取り付け手段が粘着性を有する物質により当該所有者識別証ユニットを前記対象物に取り付ける構成となっていると共に、前記駆動電力生成手段と、前記取り外し情報検出手段と、をそれぞれ２つずつ有しており、所有者識別証ユニットが前記対象物から取り外されたときに、前記対象物側に、前記駆動電力生成手段及び前記取り外し情報検出手段の一方と、前記警告音出力手段と、が連携動作可能な状態で残り、前記所有者識別証ユニットの取り外された側に、前記駆動電力生成手段及び前記取り外し情報検出手段の他方と、前記取り外し情報表示手段と、が連携動作可能な状態で残るようになっている。
【００２５】
従って、不正に所有者識別証ユニットを取り外して対象物を持ち去ろうとしても、対象物側では取り外されたことが検出され警告音が出力されるので対象物を持ち去りにくくすることが可能となり、一方、取り外された側でも取り外されたことが検出され取り外し情報が表示されるので、所有者識別証ユニットの不正利用を容易に見抜くことが可能となる。
〔発明７〕
更に、発明７の所有者識別システムは、発明１乃至６のいずれかの所有者識別システムにおいて、前記所有者識別証ユニットは、前記対象物の所有者に係る所有者情報を記憶する所有者情報記憶手段と、前記所有者識別証ユニットが前記対象物から取り外されたと検出されたときに、そのことを示す情報及び前記所有者情報を含んで成る通知用情報を前記通信装置に送信する情報送信手段と、を備え、
前記通信装置は、前記所有者識別証ユニットから送信された前記通知用情報を取得する情報取得手段と、当該情報取得手段によって取得した前記通知用情報に基づく情報を関係者に通知する情報通知手段と、を備えることを特徴としている。
【００２６】
つまり、前記所有者識別証ユニットは、所有者情報記憶手段によって、前記対象物の所有者に係る所有者情報を記憶することが可能であり、情報送信手段によって、前記所有者識別証ユニットが前記対象物から取り外されたと検出されたときに、そのことを示す情報及び前記所有者情報を含んで成る通知用情報を前記通信装置に送信することが可能であり、前記通信装置は、情報取得手段によって、前記所有者識別証ユニットから送信された前記通知用情報を取得することが可能であり、情報通知手段によって、当該情報取得手段によって取得した前記通知用情報に基づく情報を関係者に通知することが可能である。
【００２７】
従って、所有者識別証ユニットが取り外されたことを、対象物の所有者や管理者、警察等の関係者に通知することができるので、迅速な対応が可能となる。
ここで、上記所有者情報は、所有者の氏名・住所・電話番号などの所有者に関する情報そのものの他、これに対象物の特徴を加えたものや、これらの情報を関連機関に登録したときに交付される登録番号等である。
〔発明８〕
更に、発明８の所有者識別証ユニットは、発明１の所有者識別システムに適用可能な所有者識別証ユニットであって、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記通信装置から送信された駆動電力生成用の電磁波から駆動電力を生成する駆動電力生成手段と、を備えることを特徴としている。
【００２８】
ここで、本発明は、発明１の所有者識別システムに適用可能な所有者識別証ユニットであり、上記発明１の所有者識別証ユニットと同様の作用効果を有しているので記載を省略する。
〔発明９〕
更に、発明９の所有者識別証ユニットは、発明２の所有者識別システムに適用可能な所有者識別証ユニットであって、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備えることを特徴としている。
【００２９】
ここで、本発明は、発明２の所有者識別システムに適用可能な所有者識別証ユニットであり、上記発明１の所有者識別証ユニットと同様の作用効果を有しているので記載を省略する。
〔発明１０〕
更に、発明１０の所有者識別証ユニットは、発明３の所有者識別システムに適用可能な所有者識別証ユニットであって、
当該所有者識別証ユニットを前記対象物に取り付けるための取り付け手段と、
前記取り付け手段によって前記対象物に取り付けられた前記所有者識別証ユニットが、当該対象物から取り外されたか否かを検出する取り外し検出手段と、
前記所有者識別証ユニットが前記対象物から取り外されたと検出されたときに、そのことを示す情報を表示する取り外し情報表示手段と、
前記所有者識別証ユニットが前記対象物から取り外されたと検出されたときに、警告音を出力する警告音出力手段と、
前記通信装置から受信した駆動電力生成用の電磁波から駆動電力を生成する駆動電力生成手段と、を備えることを特徴としている。
【００３０】
ここで、本発明は、発明３の所有者識別システムに適用可能な所有者識別証ユニットであり、上記発明１の所有者識別証ユニットと同様の作用効果を有しているので記載を省略する。
〔発明１１〕
更に、発明１１の所有者識別証ユニットは、発明９又は１０の所有者識別証ユニットにおいて、当該所有者識別証ユニットに駆動電力を供給するための電池ユニットを備えることを特徴としている。
【００３１】
ここで、本発明は、発明４の所有者識別システムに適用可能な所有者識別証ユニットであり、上記発明１の所有者識別証ユニットと同様の作用効果を有しているので記載を省略する。
〔発明１２〕
更に、発明１２の所有者識別証ユニットは、発明１１の所有者識別証ユニットにおいて、前記取り付け手段が粘着性を有する物質により当該所有者識別証ユニットを前記対象物に取り付ける構成となっており、当該所有者識別証ユニットが前記対象物から取り外されたときに、前記対象物側に、少なくとも、前記警告音出力手段と、前記電池ユニットと、が動作可能な状態で残る構成となっていることを特徴としている。
【００３２】
ここで、本発明は、発明５の所有者識別システムに適用可能な所有者識別証ユニットであり、上記発明１の所有者識別証ユニットと同様の作用効果を有しているので記載を省略する。
〔発明１３〕
更に、発明１３の所有者識別証ユニットは、発明９又は１０の所有者識別証ユニットにおいて、前記取り付け手段が粘着性を有する物質により当該所有者識別証ユニットを前記対象物に取り付ける構成となっていると共に、前記駆動電力生成手段と、前記取り外し情報検出手段と、をそれぞれ２つずつ有しており、
前記所有者識別証ユニットが前記対象物から取り外されたときに、前記対象物側に、前記駆動電力生成手段及び前記取り外し情報検出手段の一方と、前記警告音出力手段と、が動作可能な状態で残り、前記所有者識別証ユニットの取り外された側に、前記駆動電力生成手段及び前記取り外し情報検出手段の他方と、前記取り外し情報表示手段と、が動作可能な状態で残る構成となっていることを特徴としている。
【００３３】
ここで、本発明は、発明６の所有者識別システムに適用可能な所有者識別証ユニットであり、上記発明１の所有者識別証ユニットと同様の作用効果を有しているので記載を省略する。
〔発明１４〕
更に、発明１４の通信装置は、発明７の所有者識別システムに適用可能な前記通信装置であって、
前記所有者識別証ユニットから送信された前記通知用情報を取得する情報取得手段と、当該情報取得手段によって取得した前記通知用情報に基づく情報を関係者に通知する情報通知手段と、を備えることを特徴としている。
【００３４】
ここで、本発明は、発明７の所有者識別システムに適用可能な通信装置であり、上記発明７の通信装置と同様の作用効果を有しているので記載を省略する。
〔発明１５〕
更に、発明１５の所有者識別証ユニット制御プログラムは、発明８の所有者識別証ユニットを制御するためのコンピュータが実行可能なプログラムであって、
前記取り付け手段によって前記対象物に取り付けられた前記所有者識別証ユニットが、当該対象物から取り外されたか否かを検出する取り外し検出ステップと、
前記所有者識別証ユニットが前記対象物から取り外されたと検出されたときに、そのことを示す情報を表示する取り外し情報表示ステップと、を備えることを特徴としている。
【００３５】
ここで、本発明は、発明８の所有者識別証ユニットを制御するためのプログラムであり、その効果は重複するので記載を省略する。
〔発明１６〕
更に、発明１６の所有者識別証ユニット制御プログラムは、発明９の所有者識別証ユニットを制御するためのコンピュータが実行可能なプログラムであって、
前記取り付け手段によって前記対象物に取り付けられた前記所有者識別証ユニットが、当該対象物から取り外されたか否かを検出する取り外し検出ステップと、
前記所有者識別証ユニットが前記対象物から取り外されたと検出されたときに、警告音を出力する警告音出力ステップと、を備えることを特徴としている。
【００３６】
ここで、本発明は、発明９の所有者識別証ユニットを制御するためのプログラムであり、その効果は重複するので記載を省略する。
〔発明１７〕
更に、発明１７の所有者識別証ユニット制御プログラムは、発明１０の所有者識別証ユニットを制御するためのコンピュータが実行可能なプログラムであって、
前記取り付け手段によって前記対象物に取り付けられた前記所有者識別証ユニットが、当該対象物から取り外されたか否かを検出する取り外し検出ステップと、
前記所有者識別証ユニットが前記対象物から取り外されたと検出されたときに、そのことを示す情報を表示する取り外し情報表示ステップと、
前記所有者識別証ユニットが前記対象物から取り外されたと検出されたときに、警告音を出力する警告音出力ステップと、を備えることを特徴としている。
【００３７】
ここで、本発明は、発明１０の所有者識別証ユニットを制御するためのプログラムであり、その効果は重複するので記載を省略する。
〔発明１８〕
更に、発明１８の通信装置制御プログラムは、請求項１４記載の通信装置を制御するためのコンピュータが実行可能なプログラムであって、
前記所有者識別証ユニットに駆動電力生成用の電磁波を送信する駆動電力生成用電磁波送信ステップと、
前記所有者識別証ユニットから前記通知用情報を取得する情報取得ステップと、
当該情報取得ステップにおいて取得した前記通知用情報に基づく情報を関係者に通知する情報通知ステップと、を備えることを特徴としている。
【００３８】
ここで、本発明は、発明１４の通信装置を制御するためのプログラムであり、その効果は重複するので記載を省略する。
〔発明１９〕
更に、発明１９の所有者識別証ユニットは、当該所有者識別証ユニットを前記対象物に取り付けるための取り付け手段と、
前記対象物の所有者に係る情報を表示する所有者情報表示手段と、
前記取り付け手段によって前記対象物に取り付けられた前記所有者識別証ユニットが、当該対象物から取り外されたか否かを検出する取り外し検出手段と、
当該所有者識別証ユニットが前記対象物から取り外されたと検出されたときに、そのことを示す情報を表示する取り外し情報表示手段と、
当該所有者識別証ユニットに駆動電力を供給するための電池ユニットと、を備えることを特徴としている。
【００３９】
このような構成であれば、取り付け手段によって、当該所有者識別証ユニットを前記対象物に取り付けることが可能であり、所有者情報表示手段によって、前記対象物の所有者に係る情報を表示することが可能であり、取り外し検出手段によって、前記取り付け手段によって前記対象物に取り付けられた前記所有者識別証ユニットが、当該対象物から取り外された状態か否かを検出することが可能であり、取り外し情報表示手段によって、前記所有者識別証ユニットが前記対象物から取り外された状態のときに、そのことを示す情報を表示することが可能であり、電池ユニットによって、当該所有者識別証ユニットに駆動電力を供給することが可能である。
【００４０】
従って、一度取り付けられた所有者識別証ユニットを取り外して、他の物に取り付けても、取り外し状態表示手段によって取り外したことを示す情報が表示されるので、自分の所有者識別証ユニットを剥がして他人の対象物に貼るなどの所有者識別証ユニットの不正使用を簡易に見抜くことが可能である。
〔発明２０〕
更に、発明２０の所有者識別証ユニットは、発明１９の所有者識別証ユニットにおいて、前記所有者識別証ユニットが前記対象物から取り外されたと検出されたときに、警告音を出力する警告音出力手段を備えることを特徴としている。
【００４１】
つまり、警告音出力手段によって、前記所有者識別証ユニットが前記対象物から取り外された状態のときに、警告音を出力することが可能である。
従って、一度取り付けられた所有者識別証ユニットを取り外して、他の物に取り付けても、取り外し状態表示手段によって取り外したことを示す情報が表示され、警告音出力手段によって警告音が出力されるので、所有者識別証ユニットの不正使用を簡易に見抜くことが可能である。
〔発明２１〕
更に、発明２１の所有者識別証ユニットは、発明２０の所有者識別証ユニットにおいて、前記取り付け手段が粘着性を有する物質により当該所有者識別証ユニットを前記対象物に取り付ける構成となっていると共に、前記取り外し情報検出手段及び前記電池ユニットをそれぞれ２つずつ有しており、
当該所有者識別証ユニットが前記対象物から取り外されたときに、
前記対象物側に、前記取り外し情報検出手段及び前記電池ユニットの一方と、前記警告音出力手段と、が連携動作可能な状態で残る構成となっており、
前記所有者識別証ユニットの取り外された側に、前記取り外し情報検出手段及び前記電池ユニットの他方と、前記取り外し情報表示手段と、が連携動作可能な状態で残る構成となっていることを特徴としている。
【００４２】
つまり、前記取り付け手段が粘着性を有する物質により当該所有者識別証ユニットを前記対象物に取り付ける構成となっていると共に、前記取り外し情報検出手段及び前記電池ユニットをそれぞれ２つずつ有しており、所有者識別証ユニットが前記対象物から取り外されたときに、前記対象物側に、前記取り外し情報検出手段及び前記電池ユニットの一方と、前記警告音出力手段と、が連携動作可能な状態で残る構成となっており、前記所有者識別証ユニットの取り外された側に、前記取り外し情報検出手段及び前記電池ユニットの他方と、前記取り外し情報表示手段と、が連携動作可能な状態で残る構成となっている。
【００４３】
従って、不正に所有者識別証ユニットを取り外して対象物を持ち去ろうとしても、対象物側に警告音出力手段が動作可能に残るため、警告音により対象物を持ち去りにくくすることが可能となる。
〔発明２２〕
更に、発明２２の所有者識別証ユニット制御プログラムは、発明１９の所有者識別証ユニットを制御するためのコンピュータが実行可能なプロうグラムであって、
前記対象物に関するデータを記憶するデータ記憶ステップと、
前記取り付け手段によって前記対象物に取り付けられた前記所有者識別証ユニットが、当該対象物から取り外された状態か否かを検出する取り外し検出ステップと、
当該所有者識別証ユニットが前記対象物から取り外された状態のときに、そのことを示す情報を表示する取り外し情報表示ステップと、を備えることを特徴としている。
【００４４】
ここで、本発明は、発明２０の所有者識別証ユニットを制御するためのプログラムであり、その効果は重複するので記載を省略する。
〔発明２３〕
更に、発明２３の所有者識別証ユニット制御プログラムは、発明２０の所有者識別証ユニットを制御するためのコンピュータが実行可能なプログラムであって、
発明２２の所有者識別証ユニット制御プログラムにおいて、
前記所有者識別証ユニットが前記対象物から取り外されたと検出されたときに、警告音を出力する警告音出力ステップを備えることを特徴としている。
【００４５】
ここで、本発明は、発明２１の所有者識別証ユニットを制御するためのプログラムであり、その効果は重複するので記載を省略する。
【発明を実施するための最良の形態】
【００４６】
以下、本発明の第１の実施の形態を図面に基づき説明する。図１乃至図１０は、本発明に係る所有者識別証ユニットを自転車の所有者の識別を行うための所有者識別システムに適用した第１の実施の形態を示す図である。
まず、本発明に係る第１の所有者識別システムの概略構成を図１に基づき説明する。図１は、本発明に係る第１の所有者識別システムの概略構成を示す図である。
【００４７】
第１の所有者識別システム１は、自転車２と、第１の所有者識別証ユニット３と、を含んだ構成となっている。
自転車２は、公知の自転車であり、本システム１に係る特別な機能を有するものでは無い。
第１の所有者識別証ユニット３は、本実施の形態においては、自転車２の後輪の泥除けパーツに粘着シールによって取り付けられており、自転車２に対する所有者の登録番号を表示したり、自転車２から取り外されることで、そのことを示す情報を表示したり、自転車２側において警告音を出力したりする。
【００４８】
更に、図２に基づき、第１の所有者識別証ユニット３の外観構成を説明する。図２（ａ）は、第１の所有者識別証ユニット３の表面の外観構成を示す図であり、図２（ｂ）は、第１の所有者識別証ユニットの裏面の外観構成を示す図である。
図２（ａ）に示すように、第１の所有者識別証ユニット３の表面の外観構成は、登録番号の表示された電気泳動表示装置３０ｅと、第１の電池ユニット３０ａと、第２の電池ユニット３１ａと、が縦に並んで配置された構成となっている。ここで、本実施の形態において、第１の所有者識別証ユニット３は、正常に取り付けられた状態のときには、登録番号に加え青色の画像を表示するようになっている。また、本実施の形態において、第１及び第２の電池ユニット３０ａ及び３１ａは、半導体の光起電力効果を利用して太陽エネルギーを電気エネルギーに変換する太陽電池である。更に、図２（ｂ）に示すように、第１の所有者識別証ユニット３の裏面は一面が粘着シールとなっている。
【００４９】
更に、図３に基づき、第１の所有者識別証ユニット３の詳細な構成を説明する。図３は、第１の所有者識別証ユニット３の詳細構成を示すブロック図である。
図３に示すように、第１の所有者識別証ユニット３は、第１の構成部３０と、第２の構成部３１と、を含んだ構成となっている。
第１の構成部３０は、第１の電池ユニット３０ａと、第１の電圧監視部３０ｂと、第１の取り外し検出部３０ｃと、表示処理部３０ｄと、電気泳動表示装置３０ｅと、を含んだ構成となっている。
【００５０】
第１の電池ユニット３０ａは、上記したように太陽電池であり、外部から照射される光を電気エネルギーに変換して駆動電力を生成し第１の構成部３０の各部に供給する。
第１の電圧監視部３０ｂは、第１の構成部３０における所定回路の電圧を監視するものである。
第１の取り外し検出部３０ｃは、自転車２に取り付けられた第１の所有者識別証ユニット３が取り外されたときに、そのことを第１の電圧監視部３０ｂにおいて電圧の変化として検出するための機構を備えたものである。
【００５１】
表示処理部３０ｄは、第１の電圧監視部３０ｂにおいて第１の所有者識別証ユニット３が自転車２から取り外されたことが検出されると、電気泳動表示装置３０ｅに所定情報を表示する制御を行うものである。
電気泳動表示装置３０ｅは、電気泳動現象を利用した表示装置であり、一度表示された情報を電力の供給なく保持する能力を有している。
【００５２】
第２の構成部３１は、第２の電池ユニット３１ａと、第２の電圧監視部３１ｂと、第２の取り外し検出部３１ｃと、警告音出力処理部３１ｄと、スピーカ３１ｅと、を含んだ構成となっている。
第２の電池ユニット３１ａは、上記したように太陽電池であり、外部から照射される光を電気エネルギーに変換して駆動電力を生成し第２の構成部３１の各部に供給する。
【００５３】
第２の電圧監視部３１ｂは、第２の構成部３１における所定回路の電圧を監視するものである。
第２の取り外し検出部３１ｃは、一度自転車２に取り付けられた第１の所有者識別証ユニット３が取り外されたときに、そのことを第２の電圧監視部３１ｂにおいて電圧の変化として検出するための機構を備えたものである。
【００５４】
警告音出力処理部３１ｄは、第２の電圧監視部３１ｂにおいて第１の所有者識別証ユニット３が自転車２から取り外されたことが検出されると、所定の警告音をスピーカ３１ｅから出力する処理を制御するものである。
スピーカ３１ｅは、警告音出力処理部３１ｄの制御により音声を出力するものである。
ここで、上記第１の構成部３０及び第２の構成部３１は、これら各部に対応する制御プログラム及び図示しないＣＰＵを備えており、当該ＣＰＵによって制御プログラムを実行することによって、各部の動作を制御するものである。なお、これに限らず、各部の動作をロジック回路により制御する構成としても良い。
【００５５】
更に、図４に基づき、第１及び第２の電圧監視部３０ｂ及び３１ｂにおける電圧監視の仕組みを説明する。図４は、第１及び第２の電圧監視部３０ｂ及び３１ｂにおける電圧監視の仕組みを示す図である。ここで、第１及び第２の電圧監視部３０ｂ及び３１ｂは、いずれも同様の仕組みによって監視を行うので、代表して第１の電圧監視部３０ｂについて説明をする。
【００５６】
図４に示すように、第１の取り外し検出部３０ｃは、第１の検出用抵抗部３００ａと、第２の検出用抵抗部３００ｂと、を含んだ構成となっている。更に、第１の検出用抵抗部３００ａの配線の一方は電源に接続され、もう一方は第２の検出用抵抗部３００ｂに接続される。第２の検出用抵抗部３００ｂからの配線は、その一方が回路のグランド部に接続され、もう一方が第１の検出用抵抗部３００ａに接続される。そして、第１の検出用抵抗部３００ａ及び第２の検出用抵抗部３００ｂの接続部から伸びる配線が第１の電圧監視部３０ｂに接続されている。つまり、第１の電圧監視部３０ｂによって、第１の検出用抵抗部３００ａ及び第２の検出用抵抗部３００ｂにより分圧された接続部の電圧Ｅ3を監視する。
【００５７】
更に、図５乃至図７に基づき、第１の所有者識別システム１のより具体的な動作を説明する。図５は、第１の所有者識別証ユニット３が自転車２から取り外された状態を示す図である。また、図６は、第１の所有者識別証ユニット３を自転車２から剥がす前と後を示す図であり、（ａ）は、剥がす前の図であり、（ｂ）は、剥がした後の第１の構成部３０側を表面から見た図であり、（ｃ）は、剥がした後の第１の構成部３０側を裏面から見た図であり、（ｄ）は、剥がした後の第２の構成部３１側を表面から見た図である。また、図７（ａ）は、第１の所有者識別証ユニット３を自転車２に取り付けたときの図６（ｃ）におけるＡ−Ａ断面図であり、図７（ｂ）は、第１の所有者識別証ユニット３を自転車２から取り外したときの図６（ｃ）におけるＡ−Ａ断面図である。また、図８（ａ）は、第１の所有者識別証ユニット３を自転車２に取り付けたときの図６（ｄ）におけるＢ−Ｂ断面図であり、図８（ｂ）は、第１の所有者識別証ユニット３を自転車２から取り外したときの図６（ｄ）におけるＢ−Ｂ断面図である。
【００５８】
まず、自転車２に第１の所有者識別証ユニット３が正常に取り付けられているときの動作を説明する。自転車２を太陽光等の下に停車することにより、第１の所有者識別証ユニット３の表面にある第１の電池ユニット３０ａの受光部に太陽光が受光され、当該第１の電池ユニット３０ａは、この受光した光を電気エネルギーに変換して駆動電力を生成し、第１の構成部３０の各部に供給する。
【００５９】
一方、第２の構成部３１における第２の電池ユニット３１ａは、第１の所有者識別証ユニット３の表面にある電池ユニット３１ａの受光部において太陽光を受光することにより、受光した光を電気エネルギーに変換して駆動電力を生成し、第２の構成部３１の各部に供給する。
更に、第１の構成部３０は、駆動電力が供給されると、第１の電圧監視部３０ｂによって、取第１のり外し検出部３０ｃにおける電圧Ｅ3を監視することによって、正常な状態であることを検出し、この検出結果を表示処理部３０ｄに通知する。表示処理部３０ｄは、正常であることを示す通知を受けると、電気泳動表示装置３０ｅに登録番号及び青色の画像を表示する処理を行う。
【００６０】
また、第２の構成部３１は、駆動電力が供給されると、第２の電圧監視部３１ｂによって、取第２のり外し検出部３１ｃにおける電圧Ｅ3を監視することによって、正常な状態であることを検出し、監視処理に戻る。
更に、自転車２から第１の所有者識別証ユニット３が取り外されたときの動作を説明する。
【００６１】
図５に示すように、自転車２から第１の所有者識別証ユニット３を取り外すと、第１の所有者識別証ユニット３は、第１の構成部３０及び第２の構成部３１の２つの部分に分かれる。そして、第１の構成部３０側が自転車２から取り外され、第２の構成部３１側が自転車２に残る。
このように、第１の所有者識別証ユニット３が自転車２から取り外されると、第１の構成部３０は、図６（ｂ）に示すように、その表面側に電気泳動表示装置３０ｅと第１の電池ユニット３０ａとを有し、更に、図６（ｃ）に示すように、その裏面側に第１の電圧監視部３０ｂ、表示処理部３０ｄ及び第１の取り外し検出部３０ｃを有する状態で取り外される。
【００６２】
一方、第２の構成部３１は、図６（ｄ）に示すように、第２の電池ユニット３１ａと、第２の電圧監視部３１ｂと、警告音出力処理部３１ｄ及び第２の取り外し検出部３１ｃを有する状態で自転車２側に残る。
本実施の形態において、上記した取り外し時の仕組みは、第１の構成部３０及び第２の構成部３１をそれぞれ別々の基板に独立に構成し、この２枚の基板を双方に形成された回路が電気的に接触しないように厚みのある粘着シールや、嵌合部材等を介してサンドイッチし、当該粘着シールの粘着力あるいは嵌合部材の嵌合力を、第２の構成部３１の基板と自転車２とを接着する粘着シール３２の粘着力より弱くすることで、第１の所有者識別証ユニット３を自転車２から取り外したときに第１の構成部３０の基板が取り外され、第２の構成部３１の基板が自転車２側に残るといったものである。
【００６３】
そして、第１の構成部３０では、自転車２から第１の所有者識別証ユニット３が取り外された状態において、第１の電池ユニット３０ａの受光部に太陽光が照射されると、上記同様に駆動電力を生成し、第１の構成部３０の各部に供給する。これにより、第１の電圧監視部３０ｂにおいて、上記取り外されたことが検出される。そして、第１の電圧監視部３０ｂは、この検出結果を表示処理部３０ｄに通知する。更に、表示処理部３０ｄでは、第１の電圧監視部３０ｂから取得した検出結果に基づき、電気泳動表示装置３０ｅに赤色の画像を表示する処理を行う。つまり、図６（ａ）及び（ｂ）に示すように、第１の所有者識別証ユニット３を剥がす前においては電気泳動表示装置３０ｅに登録番号及び青色の画像が表示されていたものが、第１の所有者識別証ユニット３を剥がした後においては電気泳動表示装置３０ｅに赤色の画像が表示される。
【００６４】
一方、第２の構成部３１では、自転車２から第１の所有者識別証ユニット３が取り外された状態において、第２の電池ユニット３１ａの受光部に太陽光が照射されると、上記同様に駆動電力を生成し、第２の構成部３１の各部に供給する。これにより、第２の電圧監視部３１ｂにおいて、上記取り外されたことが検出される。そして、第２の電圧監視部３１ｂは、この検出結果を警告音出力処理部３１ｄに通知する。警告音出力処理部３１ｄは、第２の電圧監視部３１ｂから取得した検出結果に基づき、スピーカ３１ｅから警告音を出力する処理を行う。つまり、図６（ｄ）に示すように、第１の所有者識別証ユニット３を剥がした後において、スピーカ３１ｅから警告音が出力される。
【００６５】
更に、図７に基づき、第１の取り外し検出部３０ｃの詳細な構成を説明する。
図７（ａ）に示すように、第１の取り外し検出部３０ｃは、配線３００ｃと導電可能な状態で第１の検出用抵抗部３００ａの配線３００ｄが当該配線３００ｃと接するように形成されている。なお、図中３２は、第１の所有者識別証ユニット３を自転車２に取り付けるための粘着部である。
【００６６】
つまり、図７（ａ）に示すように、第１の所有者識別証ユニット３は、粘着シール３２によって自転車２の泥除けパーツに取り付けられる。このとき、第１の検出用抵抗部３００ａの粘着シール３２０は、他の粘着シール３２とは切り離し可能な状態で形成されている。そして、図７（ｂ）に示すように、自転車２から第１の所有者識別証ユニット３を取り外すと、配線３００ｄと配線３００ｃとの接部は粘着シール３２の粘着力より弱い結合力によって接するように形成されているため、第１の検出用抵抗部３００ａは、配線３００ｄ及び粘着部３０２０ごと、第１の所有者識別証ユニット３の本体から切り離されて自転車２の泥除けパーツ上に残るようになっている。
【００６７】
このようにして、第１の所有者識別証ユニット３が自転車２から取り外されることで、図４に示す回路から、第１の検出用抵抗部３００ａが切り離されることになる。従って、第１の検出用抵抗部３００ａ及び第２の検出用抵抗部３００ｂによって分圧されていた電圧が分圧されなくなるため電圧Ｅ3が変化することになる。この電圧の変化が第１の電圧監視部３０ｂによって検出され、自転車２から第１の所有者識別証ユニット３が取り外されたことが検出されることになる。
【００６８】
そして、第１の電圧監視部３０ｂは、取り外されたことが検出されたことを、表示処理部３０ｄに通知し、表示処理部３０ｄは、電気泳動表示装置３０ｅを制御して、上記したように赤色の画像を表示する。
更に、図８に基づき、第２の取り外し検出部３１ｃの仕組みを説明する。
図８（ａ）に示すように、第２の取り外し検出部３１ｃの詳細な構成は、配線３００ｃと導電可能な状態で第１の検出用抵抗部３１０ａの配線３１０ｄが当該配線３１０ｃと接するように形成されている。なお、図中３２は、第１の所有者識別証ユニット３を自転車２に取り付けるための粘着シールである。
【００６９】
つまり、図８（ａ）に示すように、第１の所有者識別証ユニット３は、粘着シール３２によって自転車２の泥除けパーツに取り付けられる。そして、図８（ｂ）に示すように、自転車２から第１の所有者識別証ユニット３を取り外すと、配線３１０ｄと配線３１０ｃとの接部は弱い結合力によって接するように形成されているため、第２の検出用抵抗部３１０ａは、配線３００ｄを、第１の所有者識別証ユニット３の本体から切り離すようになっている。
【００７０】
このようにして、第１の所有者識別証ユニット３が自転車２から取り外されることで、図４に示す回路から、第２の検出用抵抗部３１０ａが切り離されることになる。従って、第２の検出用抵抗部３１０ａ及び第２の検出用抵抗部３１０ｂによって分圧されていた電圧が分圧されなくなるため電圧Ｅ3が変化することになる。この電圧の変化が第２の電圧監視部３１ｂによって検出され、自転車２から第１の所有者識別証ユニット３が取り外されたことが検出されることになる。
【００７１】
そして、第２の電圧監視部３１ｂは、取り外されたことが検出されたことを、警告音出力処理部３１ｄに通知し、警告音出力処理部３１ｄは、上記したようにスピーカ３１ｅから警告音を出力する処理を行う。
ここで、第１の所有者識別証ユニット３を自転車２から取り外して、他の自転車に取り付けたときには、電気泳動表示装置３０ｅに赤色の画像が表示されているので、目視で簡易に不正に取り付けられていると判断することが可能である。
【００７２】
更に、図９に基づき、第１の所有者識別証ユニット３における第１の構成部３０の動作処理の流れを説明する。図９は、第１の所有者識別証ユニット３における第１の構成部３０の動作処理を示すフローチャートである。ここで、本フローチャートは、第１の電池ユニット３０ａによって、第１の構成部３０に駆動電力が供給された後の動作処理を示すものである。
【００７３】
図９に示すように、まずステップＳ１００に移行し、第１の電圧監視部３０ｂにおいて、電圧Ｅ3の変化を監視することにより、第１の所有者識別証ユニット３が自転車２から取り外されたことが検出されたか否かを判定し、取り外されたことが検出された場合(Yes)はステップＳ１０２に移行し、そうでない場合(No)はステップＳ１０６に移行する。
ステップＳ１０２に移行した場合は、第１の電圧監視部３０ｂは、表示処理部３０ｄに上記取り外されたことを通知してステップＳ１０４に移行する。
【００７４】
ステップＳ１０４では、表示処理部３０ｄにおいて、電気泳動表示装置３０ｅに赤色の画像を表示する処理を行いステップＳ１００に移行する。
一方、ステップＳ１００において取り外されていないと検出されてステップＳ１０６に移行した場合は、第１の電圧監視部３０ｂは、上記取り外されていないことを通知してステップＳ１０８に移行する。
【００７５】
ステップＳ１０８では、表示処理部３０ｄにおいて、電気泳動表示装置３０ｅに登録番号及び青色の画像を表示する処理を行いステップＳ１００に移行する。
更に、図１０に基づき、第１の所有者識別証ユニット３における第２の構成部３１の動作処理の流れを説明する。図１０は、第１の所有者識別証ユニット３における第２の構成部３１の動作処理を示すフローチャートである。ここで、本フローチャートは、第２の電池ユニット３１ａによって、第２の構成部３１に駆動電力が供給された後の動作処理を示すものである。
【００７６】
図１０に示すように、まずステップＳ２００に移行し、第２の電圧監視部３１ｂにおいて、電圧Ｅ3の変化を監視することにより、第１の所有者識別証ユニット３が自転車２から取り外されたか否かを判定し、取り外されたことが検出された場合(Yes)はステップＳ２０２に移行し、そうでない場合(No)は取り外されたことが検出されるまで電圧監視処理を続ける。
【００７７】
ステップＳ２０２に移行した場合は、第２の電圧監視部３１ｂは、上記取り外されたことを警告音出力処理部３１ｄに通知してステップＳ２０４に移行する。
ステップＳ２０４では、警告音出力処理部３１ｄは、スピーカ３１ｅから警告音を出力する処理を行いステップＳ２００に移行する。
以上、第１の所有者識別証ユニット３が自転車２から取り外されると、当該第１の所有者識別証ユニット３は、第１の構成部３０と、第２の構成部３１とに分離し、第１の構成部３０は、自転車２から取り外され、第２の構成部３１は、自転車２に残る。そして、この状態で駆動電力が供給されると、第１の構成部３０は、その表示処理部３０ｄの処理によって電気泳動表示装置３０ｅに赤色の画像を表示し、一方、第２の構成部３１は、警告音出力処理部３１ｄの処理によりスピーカ３１ｅから警告音を出力することが可能である。
【００７８】
更に、本発明の第２の実施の形態を図面に基づき説明する。図１１乃至図１８は、本発明に係る所有者識別システムを自転車の所有者の識別に適用した第２の実施の形態を示す図である。
まず、本発明に係る第２の所有者識別システムの概略構成を図１１に基づき説明する。図１１は、本発明に係る第２の所有者識別システムの概略構成を示す図である。
【００７９】
第２の所有者識別システム４は、自転車２と、リーダ・ライタ装置５と、第２の所有者識別証ユニット７と、を含んだ構成となっている。
自転車２は、公知の自転車であり、本システム４に係る特別な機能を有するものでは無い。
リーダ・ライタ装置５は、自転車置き場に配設されたリーダ・ライタ装置５ａと、警察官等の関係者が所持して用いるハンディ型のリーダ・ライタ装置５ｂと、があり、第２の所有者識別証ユニット７に電力供給用の電磁波を送信する。
【００８０】
第２の所有者識別証ユニット７は、本実施の形態においては、自転車２のハンドルパーツに粘着シール７２によって取り付けられており、自転車２に対する所有者の登録番号を表示したり、自転車２から取り外されることで、そのことを示す情報を表示したり、自転車２側において警告音を出力したりする。
更に、図１２に基づき、リーダ・ライタ装置５の詳細な構成を説明する。図１２は、リーダ・ライタ装置５の詳細構成を示すブロック図である。
【００８１】
図１２に示すように、リーダ・ライタ装置５は、データ受信部５０と、データ送信部５１と、制御部５２と、操作部５３と、ＲＡＭ（Random Access Memory）５４と、ＲＯＭ（Read Only Memory）５５と、表示部５６と、を含んだ構成となっている。
データ受信部５０は、第２の所有者識別証ユニット７からの情報を非接触で受信するものである。これにより、自転車２の所有者情報や第２の所有者識別証ユニット７が不正に取り外されたことを示す情報等を取得することが可能である。
【００８２】
データ送信部５１は、主に、第２の所有者識別証ユニット７に電力供給用の電磁波を送信するためのものである。
ここで、本実施の形態におけるリーダ・ライタ装置５と第２の所有者識別証ユニットとの間のデータ通信は、主に、２５０ｋＨｚ以下、あるいは、１３．５６ＭＨｚ帯の長・中波帯の電磁波を利用して交信を行なう電磁誘導方式を利用し、且つ、交信領域内にある複数の非接触識別タグのうち、特定の非接触識別タグと交信ができるセレクティブアクセスモードを利用している。
【００８３】
制御部５２は、図示しないＣＰＵ（Central Processing Unit）により、ＲＯＭ５５に記憶された制御プログラムを実行することにより、リーダ・ライタ装置５の動作を統括制御するものである。その制御内容としては、まず、第２の所有者識別証ユニット７からのデータの受信や、第２の所有者識別証ユニット７への電力供給用電磁波の送信などの、データ受信部５０及びデータ送信部５１を用いた電磁誘導方式によるデータ通信処理の制御がある。更に、操作部２ｄの操作内容に応じて制御プログラム実行時に用いる設定値の変更処理等の制御、表示部５６に所定情報の表示処理などを行う。
【００８４】
操作部５３は、電源の投入と切断、プログラムのリセットなどを行うためのスイッチ等の操作機能、関係者への連絡に関する各種設定等を行うためのものである。
ＲＡＭ５４は、制御部５２のＣＰＵにより、ＲＯＭ５５に記憶された制御プログラムを実行する際に必要なデータを一時記憶するためのメモリである。
ＲＯＭ５５は、リーダ・ライタ装置５を統括制御するための、制御プログラムの記憶された読み取り専用のメモリである。
【００８５】
表示部５６は、液晶等の表示領域を備え、第２の所有者識別証ユニット７から取得した情報、リーダ・ライタ装置５の現在の設定内容、処理の実行状況などを表示する機能を備えたものである。
更に、図１３に基づき、第２の所有者識別証ユニット７の外観構成を説明する。図１３（ａ）は、第２の所有者識別証ユニット７の表面の外観構成を示す図であり、図１３（ｂ）は、第２の所有者識別証ユニット７の裏面の外観構成を示す図である。
【００８６】
図１３（ａ）に示すように、第２の所有者識別証ユニット７の表面の外観構成は、登録番号の表示された電気泳動表示装置７０ｅと、電池ユニット７１ａと、が縦に並んで配置された構成となっている。ここで、本実施の形態において、第２の所有者識別証ユニット７は、正常に取り付けられた状態のときには、登録番号に加え青色の画像を表示するようになっている。また、本実施の形態において、電池ユニット７１ａは、半導体の光起電力効果を利用して太陽エネルギーを電気エネルギーに変換する太陽電池である。更に、図１３（ｂ）に示すように、第２の所有者識別証ユニット７の裏面は一面が粘着シール７２となっている。
【００８７】
更に、図１４に基づき、第２の所有者識別証ユニット７の詳細な構成を説明する。図１４は、第２の所有者識別証ユニット７の詳細構成を示すブロック図である。
図１４に示すように、第２の所有者識別証ユニット７は、第１の構成部７０と、第２の構成部７１と、を含んだ構成となっている。
第１の構成部７０は、駆動電力生成部７０ａと、第１の電圧監視部７０ｂと、第１の取り外し検出部７０ｃと、表示処理部７０ｄと、電気泳動表示装置７０ｅと、コイルアンテナ７０ｆと、を含んだ構成となっている。
【００８８】
駆動電力生成部７０ａは、リーダ・ライタ装置６から受信した駆動電力供給用の電磁波から電源を生成して、第１の構成部７０の各部に供給する。
第１の電圧監視部７０ｂは、第１の構成部７０における所定回路の電圧を監視するものである。
第１の取り外し検出部７０ｃは、自転車２に取り付けられた第２の所有者識別証ユニット７が取り外されたときに、そのことを第１の電圧監視部７０ｂにおいて電圧の変化として検出するための機構を備えたものである。
【００８９】
表示処理部７０ｄは、第１の電圧監視部７０ｂにおいて第２の所有者識別証ユニット７が自転車２から取り外されたことが検出されると、電気泳動表示装置７０ｅに所定情報を表示する制御を行うものである。
電気泳動表示装置７０ｅは、電気泳動現象を利用した表示装置であり、一度表示された情報を電力の供給なく保持する能力を有している。
【００９０】
コイルアンテナ７０ｆは、リーダ・ライタ装置５から送信されるデータを含んだ電磁波を電磁誘導方式で受信するためのものである。
第２の構成部７１は、電池ユニット７１ａと、第２の電圧監視部７１ｂと、第２の取り外し検出部７１ｃと、警告音出力処理部７１ｄと、スピーカ７１ｅと、を含んだ構成となっている。
【００９１】
電池ユニット７１ａは、上記したように太陽電池であり、外部から照射される光を電気エネルギーに変換して駆動電力を生成し第２の構成部７１の各部に供給する。
第２の電圧監視部７１ｂは、第２の構成部７１における所定回路の電圧を監視するものである。
第２の取り外し検出部７１ｃは、自転車２に取り付けられた第２の所有者識別証ユニット７が取り外されたときに、そのことを第２の電圧監視部７１ｂにおいて電圧の変化として検出するための機構を備えたものである。
【００９２】
警告音出力処理部７１ｄは、第２の電圧監視部７１ｂにおいて第２の所有者識別証ユニット７が自転車２から取り外されたことが検出されると、所定の警告音をスピーカ７１ｅから出力する処理を制御するものである。
スピーカ７１ｅは、警告音出力処理部７１ｄの制御により音声を出力するものである。
ここで、上記第１の構成部７０及び第２の構成部７１は、これら各部に対応する制御プログラム及び図示しないＣＰＵを備えており、当該ＣＰＵによって制御プログラムを実行することによって、各部の動作を制御するものである。なお、これに限らず、各部の動作をロジック回路により制御する構成としても良い。
【００９３】
更に、図１５に基づき、第１及び第２の電圧監視部７０ｂ及び７１ｂにおける電圧監視の仕組みを説明する。図１５は、第１及び第２の電圧監視部７０ｂ及び７１ｂにおける電圧監視の仕組みを示す図である。ここで、第１及び第２の電圧監視部７０ｂ及び７１ｂは、いずれも同様の仕組みによって監視を行うので、代表して第１の電圧監視部７０ｂについて説明をする。
【００９４】
図１５に示すように、第１の取り外し検出部７０ｃは、第１の検出用抵抗部７００ａと、第２の検出用抵抗部７００ｂと、を含んだ構成となっている。更に、第１の検出用抵抗部７００ａの配線の一方は電源に接続され、もう一方は第２の検出用抵抗部７００ｂに接続される。第２の検出用抵抗部７００ｂからの配線は、その一方が回路のグランド部に接続され、もう一方が第１の検出用抵抗部７００ａに接続される。そして、第１の検出用抵抗部７００ａ及び第２の検出用抵抗部７００ｂの接続部から伸びる配線が第１の電圧監視部７０ｂに接続されている。つまり、第１の電圧監視部７０ｂによって、第１の検出用抵抗部７００ａ及び第２の検出用抵抗部７００ｂにより分圧された接続部の電圧Ｅ3を監視する。
【００９５】
更に、図１６に基づき、第２の所有者識別システム４のより具体的な動作を説明する。図１６は、第２の所有者識別証ユニット７の回路構成を示す図である。
まず、図１６に基づき、第２の所有者識別証ユニット７の回路構成を説明する。
図１６に示すように、第２の所有者識別証ユニット７の回路構成は、基板上に、当該基板の周形状に沿って一筆書きに金属の渦巻線を形成することでコイルアンテナ７０ｆが形成されている。ここで、本実施の形態において、このコイルアンテナ７０ｆは、金属インクを用いたインクジェット法によって形成される。
【００９６】
更に、基板の中央には第１の電圧監視部７０ｂ及び表示処理部７０ｄがワンチップ化されたＩＣチップ７２０が実装され、更に、第２の電圧監視部７０ｂ及び警告音出力処理部７０ｄがワンチップ化されたＩＣチップ７３０が実装されている。ＩＣチップ７２０からは、配線７００ｃ及び第１の検出用抵抗部７００ａによって、取り外し検出部７４０が形成されている。一方、ＩＣチップ７３０からは、配線７１０ｃ及び第１の検出用抵抗部７１０ａによって、取り外し検出部７５０が形成されている。
【００９７】
また、基板下部には、警告音を出力するためのスピーカ７１ｅが設けられている。
更に、自転車２に第２の所有者識別証ユニット７が正常に取り付けられているときの動作を説明する。自転車２を自転車置き場に停車することにより、当該自転車置き場に配設されたリーダ・ライタ装置５ａから送信される電力供給用の電磁波を受信することになる。この電磁波を、第１の構成部７０におけるコイルアンテナ７０ｆを介して受信し、駆動電力生成部７０ａにおいてこの受信した電磁波から駆動電力を生成する。そして、生成された駆動電力は、第１の構成部７０の各部に供給される。
【００９８】
一方、第２の構成部７１における電池ユニット７１ａは、第２の所有者識別証ユニット７の表面にある電池ユニット７１ａの受光部において太陽光等の外光を受光することにより、受光した光を電気エネルギーに変換して駆動電力を生成し、第２の構成部７１の各部に供給する。
更に、第１の構成部７０は、駆動電力が供給されると、第１の電圧監視部７０ｂによって、取第１のり外し検出部７０ｃにおける電圧Ｅ3を監視することによって、正常な状態であることを検出し、この検出結果を表示処理部７０ｄに通知する。表示処理部７０ｄは、正常であることを示す通知を受けると、電気泳動表示装置７０ｅに登録番号及び青色の画像を表示する処理を行う。
【００９９】
また、第２の構成部７１は、駆動電力が供給されると、第２の電圧監視部７１ｂによって、取第２のり外し検出部７１ｃにおける電圧Ｅ3を監視することによって、正常な状態であることを検出し、監視処理に戻る。
更に、自転車２から第２の所有者識別証ユニット７が取り外されたときの動作を説明する。
【０１００】
第２の所有者識別証ユニット７が自転車２から取り外されると、本実施の形態においては、第２の所有者識別証ユニット７の取り外された側に第１の構成部７０が残り、自転車２側に第２の構成部７１が残るようになっている。また、上記図７及び図８に基づき説明した第１及び第２の取り外し検出部３０ｃ及び３１ｃと同様の仕組みによって、第１及び第２の取り外し検出部７０ｃ及び７１ｃにおける第１の検出用抵抗部７００ａ（７１０ａ）が切り離れ、第１及び第２の電圧監視部７０ｂ及び７１ｂによって監視される電圧Ｅ3の値が変化して、自転車２から第２の所有者識別証ユニット７が取り外されたことが検出される。
【０１０１】
ここで、本実施の形態において、上記した取り外し時の仕組みは、上記第１の構成部３０及び第２の構成部３１の構成と同様であるので説明を省略する。
第１の構成部７０では、自転車２から第２の所有者識別証ユニット７が取り外された状態において、リーダ・ライタ装置５から駆動電力生成用の電磁波を受信すると、上記同様に駆動電力生成部７０ａにおいてこの受信した電磁波から駆動電力を生成し、第１の構成部７０の各部に供給する。これにより、第１の電圧監視部７０ｂにおいて、上記取り外されたことが検出される。そして、第１の電圧監視部７０ｂは、この検出結果を表示処理部７０ｄに通知する。更に、表示処理部７０ｄでは、第１の電圧監視部７０ｂから取得した検出結果に基づき、電気泳動表示装置７０ｅに赤色の画像を表示する処理を行う。
【０１０２】
一方、第２の構成部７１では、自転車２から第２の所有者識別証ユニット７が取り外された状態において、電池ユニット７１ａの受光部に外光が照射されると、上記同様に当該電池ユニット７１ａにおいて、受光した光を電気エネルギーに変換して駆動電力を生成し、第２の構成部７１の各部に供給する。これにより、第２の電圧監視部７１ｂにおいて、上記取り外されたことが検出される。そして、第２の電圧監視部７１ｂは、この検出結果を警告音出力処理部７１ｄに通知する。警告音出力処理部７１ｄは、第２の電圧監視部７１ｂから取得した検出結果に基づき、スピーカ７１ｅから警告音を出力する処理を行う。
【０１０３】
つまり、第２の所有者識別証ユニット７が取り外された状態においては、自転車置き場に配設されたリーダ・ライタ装置５ａや、警察官等のシステム関係者が所持するハンディ型のリーダ・ライタ装置５ｂ等から駆動電力生成用の電磁波を供給することで、例えば、取り外された第２の所有者識別証ユニット７を他の自転車に取り付けたりしている場合に、電気泳動表示装置７０ｅに赤色の画像が表示されることになり、目視により、簡易に不正利用されていることが解る。一方、自転車２側には、第２の所有者識別証ユニット７を取り外したときに上記したように第２の構成部７１が残るので、太陽の照っているところや外灯の下等で第２の所有者識別証ユニット７を取り外しただけで、スピーカ７１ｅから警告音が出力される。
【０１０４】
更に、図１７に基づき、第２の所有者識別証ユニット７における第１の構成部７０の動作処理の流れを説明する。図１７は、第２の所有者識別証ユニット７における第１の構成部７０の動作処理を示すフローチャートである。ここで、本フローチャートは、駆動電力生成部７０ａによって、第１の構成部７０に駆動電力が供給された後の動作処理を示すものである。
【０１０５】
図１７に示すように、まずステップＳ３００に移行し、第１の電圧監視部７０ｂにおいて、電圧Ｅ3の変化を監視することにより、第２の所有者識別証ユニット７が自転車２から取り外されたことが検出されたか否かを判定し、取り外されたことが検出された場合(Yes)はステップＳ３０２に移行し、そうでない場合(No)はステップＳ３０６に移行する。
ステップＳ３０２に移行した場合は、第１の電圧監視部７０ｂは、表示処理部７０ｄに上記取り外されたことを通知してステップＳ３０４に移行する。
【０１０６】
ステップＳ３０４では、表示処理部７０ｄにおいて、電気泳動表示装置７０ｅに赤色の画像を表示する処理を行いステップＳ３００に移行する。
一方、ステップＳ３００において取り外されていないと検出されてステップＳ３０６に移行した場合は、第１の電圧監視部７０ｂは、上記取り外されていないことを通知してステップＳ３０８に移行する。
【０１０７】
ステップＳ３０８では、表示処理部７０ｄにおいて、電気泳動表示装置７０ｅに登録番号及び青色の画像を表示する処理を行いステップＳ３００に移行する。
更に、図１８に基づき、第２の所有者識別証ユニット７における第２の構成部７１の動作処理の流れを説明する。図１８は、第２の所有者識別証ユニット７における第２の構成部７１の動作処理を示すフローチャートである。ここで、本フローチャートは、電池ユニット７１ａによって、第２の構成部７１に駆動電力が供給された後の動作処理を示すものである。
【０１０８】
図１８に示すように、まずステップＳ４００に移行し、第２の電圧監視部７１ｂにおいて、電圧Ｅ3の変化を監視することにより、第２の所有者識別証ユニット７が自転車２から取り外されたか否かを判定し、取り外されたことが検出された場合(Yes)はステップＳ４０２に移行し、そうでない場合(No)は取り外されたことが検出されるまで電圧監視処理を続ける。
【０１０９】
ステップＳ４０２に移行した場合は、第２の電圧監視部７１ｂは、上記取り外されたことを警告音出力処理部７１ｄに通知してステップＳ４０４に移行する。
ステップＳ４０４では、警告音出力処理部７１ｄは、スピーカ７１ｅから警告音を出力する処理を行いステップＳ４００に移行する。
以上、第２の所有者識別証ユニット７が自転車２から取り外されると、当該第２の所有者識別証ユニット７は、第１の構成部７０と、第２の構成部７１とに分離し、第１の構成部７０は、自転車２から取り外され、第２の構成部７１は、自転車２に残る。そして、この状態で駆動電力が供給されると、第１の構成部７０は、その表示処理部７０ｄの処理によって電気泳動表示装置７０ｅに赤色の画像を表示し、一方、第２の構成部７１は、警告音出力処理部の処理によりスピーカ７１ｅから警告音を出力することが可能である。
【０１１０】
更に、本発明の第３の実施の形態を図面に基づき説明する。図１９乃至図２７は、本発明に係る所有者識別システムを自転車の所有者の識別に適用した第３の実施の形態を示す図である。
まず、本発明に係る第３の所有者識別システムの概略構成を図１９に基づき説明する。図１９は、本発明に係る第３の所有者識別システムの概略構成を示す図である。
【０１１１】
第３の所有者識別システム６は、自転車２と、リーダ・ライタ装置８と、第３の所有者識別証ユニット９と、を含んだ構成となっている。
自転車２は、公知の自転車であり、本システム７に係る特別な機能を有するものでは無い。
リーダ・ライタ装置８は、自転車置き場に配設されたリーダ・ライタ装置８ａと、警察官等の関係者が所持して用いるハンディ型のリーダ・ライタ装置８ｂと、があり、第３の所有者識別証ユニット９に電力供給用の電磁波を送信したり、第２の所有者識別証ユニットからの送信情報を取得して、関係者に通知したりする。
【０１１２】
第３の所有者識別証ユニット９は、本実施の形態においては、自転車２のハンドルパーツに粘着シール９２によって取り付けられており、自転車２に対する所有者の登録番号を表示したり、自転車２から取り外されることで、そのことを示す情報を表示したり、そのことを示す情報をリーダ・ライタ装置８に送信したり、自転車２側において警告音を出力したりする。
【０１１３】
更に、図２０に基づき、リーダ・ライタ装置８の詳細な構成を説明する。図２０は、リーダ・ライタ装置８の詳細構成を示すブロック図である。
図２０に示すように、リーダ・ライタ装置８は、データ受信部５０と、データ送信部５１と、制御部５２と、操作部５３と、ＲＡＭ（Random Access Memory）５４と、ＲＯＭ（Read Only Memory）５５と、表示部５６と、データ通信部５７と、を含んだ構成となっている。ここで、上記したリーダ・ライタ装置５と共通の部分については同じ符号を付しその説明を省略する。
【０１１４】
データ通信部５７は、第３の所有者識別証ユニット９から取得した、自転車２の所有者情報及び取り外されたことを示す情報を含む通知用情報に基づき、本実施の形態においては、所有者本人、警察、自転車置き場の管理人に自転車２から第３の所有者識別証ユニット９が取り外されたことを通知するためのものである。
更に、図２１に基づき、第３の所有者識別証ユニット９の外観構成を説明する。図２１（ａ）は、第３の所有者識別証ユニット９の表面の外観構成を示す図であり、図２１（ｂ）は、第３の所有者識別証ユニット９の裏面の外観構成を示す図である。
【０１１５】
図２１（ａ）に示すように、第３の所有者識別証ユニット９の表面の外観構成は、登録番号の表示された電気泳動表示装置９１ｅのみが配置された構成となっている。ここで、本実施の形態において、第３の所有者識別証ユニット９は、正常に取り付けられた状態のときには、登録番号に加え青色の画像を表示するようになっている。更に、図２１（ｂ）に示すように、第３の所有者識別証ユニット９の裏面は一面が粘着シール９２となっている。
【０１１６】
更に、図２２に基づき、第３の所有者識別証ユニット９の詳細な構成を説明する。図２２は、第３の所有者識別証ユニット９の詳細構成を示すブロック図である。
図２２に示すように、第３の所有者識別証ユニット９は、第１の構成部９０と、第２の構成部９１と、を含んだ構成となっている。
第１の構成部９０は、データ受信部９０ａと、データ送信部９０ｂと、データ制御部９０ｃと、第１の電圧監視部９０ｄと、第１の取り外し検出部９０ｅと、データ記憶部９０ｆと、警告音出力処理部９０ｇと、スピーカ９０ｈと、第１の駆動電力生成部９０ｉと、第１のコイルアンテナ９０ｊと、を含んだ構成となっている。
【０１１７】
データ受信部９０ａは、リーダ・ライタ装置８から伝送されたデータを電磁誘導方式により受信する機能を備えるものである。
データ送信部９０ｂは、データ記憶部９０ｆに記憶された所定データを、電磁誘導方式によってリーダ・ライタ装置８に送信する機能を備えるものである。
データ制御部９０ｃは、データ受信部９０ａ及びデータ送信部９０ｂを介して行われるデータの送受信の制御、受信したデータの記憶処理等の制御を行うものである。
【０１１８】
第１の電圧監視部９０ｄは、第１の構成部９０における、所定回路の電圧を監視するものである。
第１の取り外し検出部９０ｅは、自転車２に取り付けられた第３の所有者識別証ユニット９が取り外されたときに、そのことを第１の電圧監視部９０ｄにおいて電圧の変化として検出するための機構を備えたものである。
【０１１９】
データ記憶部９０ｆは、データ制御部９０ｃからの命令に応じて、リーダ・ライタ装置８から受信した所定データを記憶したり、所有者情報を記憶したりするものである。ここで、本実施の形態においては、第１の構成部９０の各部を制御するための制御プログラムも記憶している。
警告音出力処理部９０ｇは、第１の電圧監視部９０ｄにおいて第３の所有者識別証ユニット９が自転車２から取り外されたことが検出されると、所定の警告音をスピーカ９０ｈから出力する処理を制御するものである。
【０１２０】
スピーカ９０ｈは、警告音出力処理部９０ｇの制御により音声を出力するものである。
電源生成部９０ｉは、リーダ・ライタ装置８から受信した電磁波から駆動電力を生成して第１の構成部９０の各部に供給するものである。
コイルアンテナ９０ｊは、リーダ・ライタ装置８から送信される所定周波数の電磁波を電磁誘導方式で受信するためのものである。
【０１２１】
第２の構成部９１は、第２の駆動電力生成部９１ａと、第２の電圧監視部９１ｂと、第２の取り外し検出部９１ｃと、表示処理部９１ｄと、電気泳動表示装置９１ｅと、第２のコイルアンテナ９１ｆと、を含んだ構成となっている。
第２の駆動電力生成部９１ａは、リーダ・ライタ装置８から受信した駆動電力供給用の電磁波から電源を生成して、第２の構成部９１の各部に供給する。
【０１２２】
第２の電圧監視部９１ｂは、第２の構成部９１における所定回路の電圧を監視するものである。
第２の取り外し検出部９１ｃは、自転車２に取り付けられた第３の所有者識別証ユニット９が取り外されたときに、そのことを第２の電圧監視部９０ｂにおいて電圧の変化として検出するための機構を備えたものである。
【０１２３】
表示処理部９０ｄは、第２の電圧監視部９１ｂにおいて第３の所有者識別証ユニット９が自転車２から取り外されたことが検出されると、電気泳動表示装置９１ｅに所定情報を表示する制御を行うものである。
電気泳動表示装置９１ｅは、電気泳動現象を利用した表示装置であり、一度表示された情報を電力の供給なく保持する能力を有している。
【０１２４】
コイルアンテナ９１ｆは、リーダ・ライタ装置８から送信される所定周波数の電磁波を電磁誘導方式で受信するためのものである。
ここで、上記第１の構成部９０及び第２の構成部９１は、これら各部に対応する制御プログラム及び図示しないＣＰＵを備えており、当該ＣＰＵによって制御プログラムを実行することによって、各部の動作を制御するものである。なお、これに限らず、各部の動作をロジック回路により制御する構成としても良い。
【０１２５】
更に、図２３に基づき、第１及び第２の電圧監視部９０ｄ及び９１ｂにおける電圧監視の仕組みを説明する。図２３は、第１及び第２の電圧監視部９０ｄ及び９１ｂにおける電圧監視の仕組みを示す図である。ここで、第１及び第２の電圧監視部９０ｄ及び９１ｂは、いずれも同様の仕組みによって監視を行うので、代表して第１の電圧監視部９０ｄについて説明をする。
【０１２６】
図２３に示すように、第１の取り外し検出部９０ｅは、第１の検出用抵抗部９００ａと、第２の検出用抵抗部９００ｂと、を含んだ構成となっている。更に、第１の検出用抵抗部９００ａの配線の一方は電源に接続され、もう一方は第２の検出用抵抗部９００ｂに接続される。第２の検出用抵抗部９００ｂからの配線は、その一方が回路のグランド部に接続され、もう一方が第１の検出用抵抗部９００ａに接続される。そして、第１の検出用抵抗部９００ａ及び第２の検出用抵抗部９００ｂの接続部から伸びる配線が第１の電圧監視部９０ｄに接続されている。つまり、第１の電圧監視部９０ｄによって、第１の検出用抵抗部９００ａ及び第２の検出用抵抗部９００ｂにより分圧された接続部の電圧Ｅ3を監視する。
【０１２７】
更に、図２４に基づき、第３の所有者識別システム６のより具体的な動作を説明する。図２４は、第３の所有者識別証ユニット９の回路構成を示す図である。
まず、図２４に基づき、第３の所有者識別証ユニット９の回路構成を説明する。
図２４に示すように、第３の所有者識別証ユニット９の回路構成は、基板上に、当該基板の周形状に沿って一筆書きに金属の渦巻線を形成することで第１のコイルアンテナ９０ｊが形成され、その左下内側に第１のコイルアンテナ９０ｊよりも小さく一筆書きに金属の渦巻線を形成することで第２のコイルアンテナ９１ｆが形成されている。ここで、本実施の形態において、この第１及び第２のコイルアンテナ９０ｊ及び９０ｆは、金属インクを用いたインクジェット法によって形成される。
【０１２８】
更に、基板左側の第１のコイルアンテナ９０ｊの内側上部には、データ受信部９０ａ、データ送信部９０ｂ、データ制御部９０ｃ、第１の電圧監視部９０ｄ、データ記憶部９０ｆ及び警告音出力処理部９０ｇを含むＩＣチップ９２０が実装され、更に、その下部に、第２の電圧監視部９１ｂ及び表示処理部９１ｄを含むＩＣチップ９３０が実装されている。
【０１２９】
ＩＣチップ９２０からは、配線９００ｃ及び第１の検出用抵抗部９００ａによって、第１の取り外し検出部９４０が形成されている。一方、ＩＣチップ９３０からは、配線９１０ｃ及び第１の検出用抵抗部９１０ａによって、取り外し検出部９５０が形成されている。
また、基板右側の第１のコイルアンテナ９０ｊ内側には、電気泳動表示装置９１ｅが設けられ、ＩＣチップ９３０の右横には、警告音を出力するためのスピーカ９０ｈが設けられている。
【０１３０】
更に、自転車２に第３の所有者識別証ユニット９が正常に取り付けられているときの動作を説明する。自転車２を自転車置き場に停車することにより、当該自転車置き場に配設されたリーダ・ライタ装置８ａから送信される電力供給用の電磁波を受信することになる。この電磁波を、第１の構成部９０における第１のコイルアンテナ９０ｊを介して受信し、駆動電力生成部９０ｉにおいてこの受信した電磁波から駆動電力を生成する。そして、生成された駆動電力は、第１の構成部９０の各部に供給される。
【０１３１】
一方、第２の構成部９１も、リーダ・ライタ装置８ａから送信される電力供給用の電磁波を第２のコイルアンテナ９１ｆを介して受信し、駆動電力生成部９０ｉにおいてこの受信した電磁波から駆動電力を生成する。そして、生成された駆動電力は、第２の構成部９１の各部に供給される。
更に、第１の構成部９０は、駆動電力が供給されると、第１の電圧監視部９０ｄによって、第１の取り外し検出部９０ｅにおける電圧Ｅ3を監視することによって、正常な状態であることを検出し、監視処理に戻る。
【０１３２】
また、第２の構成部９１は、駆動電力が供給されると、第２の電圧監視部９１ｂによって、取第２のり外し検出部９１ｃにおける電圧Ｅ3を監視することによって、正常な状態であることを検出し、この検出結果を表示処理部９０ｄに通知する。表示処理部９０ｄは、正常であることを示す通知を受けると、電気泳動表示装置９０ｅに登録番号及び青色の画像を表示する処理を行う。
【０１３３】
更に、自転車２から第３の所有者識別証ユニット９が取り外されたときの動作を説明する。
第３の所有者識別証ユニット９が自転車２から取り外されると、本実施の形態においては、第３の所有者識別証ユニット９の取り外された側に第２の構成部９１が残り、自転車２側に第１の構成部９０が残るようになっている。また、上記図７及び図８に基づき説明した第１及び第２の取り外し検出部３０ｃ及び３１ｃと同様の仕組みによって、第１及び第２の取り外し検出部９０ｅ及び９１ｃにおける第１の検出用抵抗部９００ａ（９１０ａ）が切り離れ、第１及び第２の電圧監視部９０ｄ及び９１ｂによって監視される電圧Ｅ3の値が変化して、自転車２から第３の所有者識別証ユニット９が取り外されたことが検出される。
【０１３４】
ここで、本実施の形態において、上記した取り外し時の仕組みは、第１の構成部９０及び第２の構成部９１をそれぞれ別々の基板に独立に構成し、この２枚の基板を双方に形成された回路が電気的に接触しないように厚みのある粘着シールや、嵌合部材等を介してサンドイッチし、当該粘着シールの粘着力あるいは嵌合部材の嵌合力を、第１の構成部９０の基板と自転車２とを接着する粘着シール３２の粘着力より弱くすることで、第３の所有者識別証ユニット９を自転車２から取り外したときに第２の構成部９１の基板が取り外され、第１の構成部９０の基板が自転車２側に残るといったものである。
【０１３５】
第１の構成部９０では、自転車２から第３の所有者識別証ユニット９が取り外された状態において、リーダ・ライタ装置８から駆動電力生成用の電磁波を受信すると、上記同様に駆動電力生成部９０ｉにおいてこの受信した電磁波から駆動電力を生成し、第１の構成部９０の各部に供給する。これにより、第１の電圧監視部９０ｄにおいて、上記取り外されたことが検出される。そして、第２の電圧監視部９０ｄは、この検出結果を、データ制御部９０ｃ及び警告音出力処理部９０ｇに通知する。データ制御部９０ｃは、第２の電圧監視部７１ｂから取得した検出結果及びデータ記憶部９０ｆに記憶された所有者情報に基づき通知用情報を生成して、データ送信部９０ｂを介してリーダ・ライタ装置８に通知用情報を送信する。一方、警告音出力処理部９０ｇは、第２の電圧監視部９０ｄから取得した検出結果に基づき、スピーカ９０ｈから警告音を出力する処理を行う。
【０１３６】
一方、リーダ・ライタ装置８は、第１の構成部９０から送信された通知用情報をデータ受信部５０を介して取得すると、制御部５２において、データ通信部５７を介して、取得した通知用情報あるいは、これに関連する情報を上記した所有者本人、警察及び自転車置き場の管理人のそれぞれに送信する。従って、所有者本人、警察及び自転車置き場の管理人は、リーダ・ライタ装置からの情報を取得するための情報処理端末等の情報取得手段を有する。
【０１３７】
一方、第２の構成部９１では、自転車２から第３の所有者識別証ユニット９が取り外された状態において、リーダ・ライタ装置８から駆動電力生成用の電磁波を受信すると、上記同様に駆動電力生成部９１ａにおいてこの受信した電磁波から駆動電力を生成し、第２の構成部９１の各部に供給する。これにより、第２の電圧監視部９１ｂにおいて、上記取り外されたことが検出される。そして、第２の電圧監視部９１ｂは、この検出結果を表示処理部９１ｄに通知する。更に、表示処理部９１ｄでは、第２の電圧監視部９１ｂから取得した検出結果に基づき、電気泳動表示装置９１ｅに赤色の画像を表示する処理を行う。
【０１３８】
つまり、第３の所有者識別証ユニット９が取り外された状態においては、自転車置き場に配設されたリーダ・ライタ装置８ａや、警察官等のシステム関係者が所持するハンディ型のリーダ・ライタ装置８ｂ等から駆動電力生成用の電磁波を供給することで、例えば、取り外された第３の所有者識別証ユニット９を他の自転車に取り付けたりしている場合に、電気泳動表示装置９１ｅに赤色の画像が表示されることになり、目視により、簡易に不正利用されていることが解る。しかも、表示装置が電気泳動現象を利用したものであるため、一度赤色の画像が表示されると、その状態が保持されるので、電磁波の受信圏内を出ても表示内容は変わらない。
【０１３９】
一方、自転車２側には、第３の所有者識別証ユニット９を取り外したときに上記したように第１の構成部９０が残るので、自転車置き場に配設されたリーダ・ライタ装置８ａや、警察官等のシステム関係者が所持するハンディ型のリーダ・ライタ装置８ｂ等から駆動電力生成用の電磁波を供給することで、スピーカ９０ｈから警告音が出力される。
更に、第３の所有者識別証ユニット９が取り外された状態においては、自転車２側にある第１の構成部９０によって、所有者情報及び取り外されたことを示す情報を含む通知用情報がリーダ・ライタ装置８に送信され、且つ、リーダ・ライタ装置８は、取得した通知用情報を上記したシステム関係者に送信するので、システム関係者は迅速な対応が可能となる。
【０１４０】
更に、図２５に基づき、第３の所有者識別証ユニット９における第１の構成部９０の動作処理の流れを説明する。図２５は、第３の所有者識別証ユニット９のおける第１の構成部９０の動作処理を示すフローチャートである。ここで、本フローチャートは、第１の駆動電力生成部９０ｉによって、第１の構成部９０に駆動電力が供給された後の動作処理を示すものである。
【０１４１】
図２５に示すように、まずステップＳ５００に移行し、第１の電圧監視部９０ｄにおいて、電圧Ｅ3の変化を監視することにより、第３の所有者識別証ユニット９が自転車２から取り外されたことが検出されたか否かを判定し、取り外さたことが検出された場合(Yes)はステップＳ５０２に移行し、そうでない場合(No)は電圧監視処理を続行する。
ステップＳ５０２に移行した場合は、第１の電圧監視部９０ｄは、データ制御部９０ｃ及び警告音出力処理部９０ｇに上記取り外されたことを通知してステップＳ５０４に移行する。
【０１４２】
ステップＳ５０４では、データ制御部９０ｃにおいて、データ記憶部に記憶された所有者情報及び上記取り外されたことを示す情報を含む通知用情報を生成してステップＳ５０６に移行する。
ステップＳ５０６では、データ制御部９０ｃは、データ送信部９０ｂを介して、上記生成した通知用情報をリーダ・ライタ装置８に送信してステップＳ５０８に移行する。
【０１４３】
ステップＳ５０８では、警告音出力処理部９０ｇは、スピーカ９０ｈから警告音を出力する処理を行いステップＳ５００に移行する。
更に、図２６に基づき、第３の所有者識別証ユニット９における第２の構成部９１の動作処理の流れを説明する。図２６は、第３の所有者識別証ユニット９における第２の構成部９１の動作処理を示すフローチャートである。ここで、本フローチャートは、第２の駆動電力生成部９１ａによって、第２の構成部９１に駆動電力が供給された後の動作処理を示すものである。
【０１４４】
図２６に示すように、まずステップＳ６００に移行し、第２の電圧監視部９１ｂにおいて、電圧Ｅ3の変化を監視することにより、第３の所有者識別証ユニット９が自転車２から取り外されたことが検出されたか否かを判定し、取り外されたことが検出された場合(Yes)はステップＳ６０２に移行し、そうでない場合(No)はステップＳ６０６に移行する。
ステップＳ６０２に移行した場合は、第２の電圧監視部９１ｂは、表示処理部９１ｄに上記取り外されたことを通知してステップＳ６０４に移行する。
【０１４５】
ステップＳ６０４では、表示処理部９１ｄにおいて、電気泳動表示装置９１ｅに赤色の画像を表示する処理を行いステップＳ６００に移行する。
一方、ステップＳ６００において取り外されていないと検出されてステップＳ６０６に移行した場合は、第１の電圧監視部９１ｂは、上記取り外されていないことを通知してステップＳ６０８に移行する。
【０１４６】
ステップＳ６０８では、表示処理部９１ｄにおいて、電気泳動表示装置９１ｅに登録番号及び青色の画像を表示する処理を行いステップＳ６００に移行する。
更に、図２７に基づき、リーダ・ライタ装置８の動作処理の流れを説明する。図２７は、リーダ・ライタ装置８の動作処理を示すフローチャートである。
図２７に示すように、まずステップＳ７００に移行し、制御部５２によって、データ送信部５１を介して、電力供給用の電磁波を第３の所有者識別証ユニット９に送信してステップＳ７０２に移行する。ここで、本実施の形態において、この電力供給用の電磁波の送信処理は、リーダ・ライタ装置８ａであれば、所定周期に自動的に行われ、リーダ・ライタ装置８ｂであれば、警察官等の関係者の手動操作によって行われる。
【０１４７】
ステップＳ７０２では、制御部５２において、第３の所有者識別証ユニット９からの通知用情報を受信したか否かを判定し、受信したと判定された場合(Yes)はステップＳ７０４に移行し、そうでない場合(No)は処理を終了する。
ステップＳ７０４に移行した場合は、制御部５２において、上記受信した通知用情報を解析してステップＳ７０６に移行する。
【０１４８】
ステップＳ７０６では、制御部５２の制御によって、上記解析結果に基づく情報を、データ通信部５７を介して関係者に通知して処理を終了する。
以上、第３の所有者識別証ユニット９が自転車２から取り外されると、当該第３の所有者識別証ユニット９は、第１の構成部９０と、第２の構成部９１とに分離し、第２の構成部９１は、自転車２から取り外され、第１の構成部９０は、自転車２に残る。そして、この状態で駆動電力が供給されると、第２の構成部９１は、その表示処理部９１ｄの処理によって電気泳動表示装置９１ｅに赤色の画像を表示し、一方、第１の構成部９０は、データ制御部９０ｃにより通知用情報を生成して、これをリーダ・ライタ装置８に送信し、更に、警告音出力処理部９０ｇの処理によりスピーカ９０ｈから警告音を出力することが可能である。更に、リーダ・ライタ装置８は、第３の所有者識別証ユニット９から通知用情報を受信すると、データ通信部５７によって当該通信用情報に基づく情報を関係者に通知することが可能である。
【０１４９】
ここで、図２（ｂ）に示す、粘着シール３２は、発明１９の取り付け手段に対応し、図３に示す、表示処理部３０ｄによる電気泳動表示装置３０ｅへの登録番号の表示処理は、発明１９の所有者情報表示手段に対応し、第１の電池ユニット３０ａ及び第２の電池ユニット３１ａは、発明１９又は発明２１の電池ユニットに対応し、第１の電圧監視部３０ｂ及び第１の取り外し検出部３０ｃと第２の電圧監視部３１ｂ及び第２の取り外し検出部３１ｃとは、発明１９の取り外し検出手段に対応し、表示処理部３０ｄによる電気泳動表示装置３０ｅへの赤色画像の表示処理は、発明１９又は発明２１の取り外し情報表示手段に対応し、警告音出力処理部３１ｄによるスピーカ３１ｅからの警告音出力処理は、発明２０又は発明２１の警告音出力手段に対応する。
【０１５０】
また、図１３（ｂ）に示す、粘着シール７２は、発明１〜３，５，８〜１０，１２及び１５〜１７のいずれかの取り付け手段に対応し、駆動電力生成部７０ａは、発明１〜３，５，８〜１０及び１２のいずれかの駆動電力生成手段に対応し、第１の電圧監視部７０ｂ及び第１の取り外し検出部７０ｃと第２の電圧監視部７１ｂ及び第２の取り外し検出部７１ｃとは、発明１〜３及び発明８〜９のいずれかの取り外し検出手段に対応し、表示処理部７０ｄによる電気泳動表示装置７０ｅへの赤色画像の表示処理は、発明１，３，５，８，１０及び１２のいずれかの取り外し情報表示手段に対応し、警告音出力処理部９１ｄによるスピーカ９１ｅからの警告音出力処理は、発明２，３，９及び１０のいずれかの警告音出力手段に対応し、電池ユニット７１ａは、発明４，５，１１及び１２のいずれかの電池ユニットに対応する。
【０１５１】
また、図１２に示す、制御部５２及びデータ送信部５１による駆動電力生成用の電磁波の送信処理は、発明１〜３のいずれかの駆動電力生成用電磁波送信手段に対応する。
また、図２１（ｂ）に示す、粘着シール９２は、発明１〜３，６，８〜１０，１３及び１５〜１７のいずれかの取り付け手段に対応し、第１の駆動電力生成部９０ｉ及び第２の駆動電力生成部９１ａは、発明１〜３，６，８〜１０及び１３のいずれかの駆動電力生成手段に対応し、第１の電圧監視部９０ｄ及び第１の取り外し検出部９０ｅと第２の電圧監視部９１ｂ及び第２の取り外し検出部９１ｃとは、発明１〜３及び発明８〜９のいずれかの取り外し検出手段に対応し、表示処理部９１ｄによる電気泳動表示装置９１ｅへの赤色画像の表示処理は、発明１，３，６，８，１０及び１３のいずれかの取り外し情報表示手段に対応し、警告音出力処理部９０ｇによるスピーカ９０ｈからの警告音出力処理は、発明２，３，９及び１０のいずれかの警告音出力手段に対応し、データ制御部９０ｃ及びデータ送信部９０ｂによる通知用情報の送信処理は、発明７又は発明１４の情報送信手段に対応する。
【０１５２】
また、図２０に示す、制御部５２及びデータ送信部５１による駆動電力生成用の電磁波の送信処理は、発明１〜３のいずれかの駆動電力生成用電磁波送信手段に対応し、制御部５２及びデータ通信部５７による関係者への通知用情報に基づく情報の通知処理は、発明７又は発明１４の情報通知手段に対応する。
なお、上記実施の形態においては、所有者識別証ユニットを、自転車の所有者の識別に適用しているが、これに限らず、例えば、ランドセルや傘等の他の物の所有者の識別に適用しても良い。
【０１５３】
また、上記実施の形態においては、所有者識別証ユニットに取り外し検出部を二つ設け、当該所有者識別証ユニットを対象物から取り外すことによって、それぞれ、自転車側及び取り外された側にそれぞれ分かれるような構成としたが、これに限らず、例えば、取り外し検出部の全部あるいは一部（例えば、抵抗部分）を共通にするなど、別の構成としても良い。つまり、回路を共通化することにより、コストの軽減や所有者識別証ユニットの小型化等が可能となる。
【０１５４】
また、上記実施の形態においては、所有者識別証ユニットの第１の構成部と第２の構成部とを別々の基板に設け、所有者識別証ユニットを自転車から取り外したときに、それぞれの基板が分離するような構成としたが、これに限らず、別の構成としても良い。
【図面の簡単な説明】
【０１５５】
【図１】本発明に係る第１の所有者識別システムの概略構成を示す図である。
【図２】（ａ）は、第１の所有者識別証ユニット３の表面の外観構成を示す図であり、（ｂ）は、第１の所有者識別証ユニットの裏面の外観構成を示す図である。
【図３】第１の所有者識別証ユニット３の詳細構成を示すブロック図である。
【図４】第１及び第２の電圧監視部３０ｂ及び３１ｂにおける電圧監視の仕組みを示す図である。
【図５】第１の所有者識別証ユニット３が自転車２から取り外された状態を示す図である。
【図６】第１の所有者識別証ユニット３を自転車２から剥がす前と後を示す図であり、（ａ）は、剥がす前の図であり、（ｂ）は、剥がした後の第１の構成部３０側を表面から見た図であり、（ｃ）は、剥がした後の第１の構成部３０側を裏面から見た図であり、（ｄ）は、剥がした後の第２の構成部３１側を表面から見た図である。
【図７】（ａ）は、第１の所有者識別証ユニット３を自転車２に取り付けたときの図６（ｃ）におけるＡ−Ａ断面図であり、（ｂ）は、第１の所有者識別証ユニット３を自転車２から取り外したときの図６（ｃ）におけるＡ−Ａ断面図である。
【図８】（ａ）は、第１の所有者識別証ユニット３を自転車２に取り付けたときの図６（ｄ）におけるＢ−Ｂ断面図であり、（ｂ）は、第１の所有者識別証ユニット３を自転車２から取り外したときの図６（ｄ）におけるＢ−Ｂ断面図である。
【図９】第１の所有者識別証ユニット３における第１の構成部３０の動作処理を示すフローチャートである。
【図１０】第１の所有者識別証ユニット３における第２の構成部３１の動作処理を示すフローチャートである。
【図１１】本発明に係る第２の所有者識別システムの概略構成を示す図である。
【図１２】リーダ・ライタ装置５の詳細構成を示すブロック図である。
【図１３】（ａ）は、第２の所有者識別証ユニット７の表面の外観構成を示す図であり、（ｂ）は、第２の所有者識別証ユニット７の裏面の外観構成を示す図である。
【図１４】第２の所有者識別証ユニット７の詳細構成を示すブロック図である。
【図１５】第１及び第２の電圧監視部７０ｂ及び７１ｂにおける電圧監視の仕組みを示す図である。
【図１６】第２の所有者識別証ユニット７の回路構成を示す図である。
【図１７】第２の所有者識別証ユニット７における第１の構成部７０の動作処理を示すフローチャートである。
【図１８】第２の所有者識別証ユニット７における第２の構成部７１の動作処理を示すフローチャートである。
【図１９】本発明に係る第３の所有者識別システムの概略構成を示す図である。
【図２０】リーダ・ライタ装置８の詳細構成を示すブロック図である。
【図２１】（ａ）は、第３の所有者識別証ユニット９の表面の外観構成を示す図であり、（ｂ）は、第３の所有者識別証ユニット９の裏面の外観構成を示す図である。
【図２２】第３の所有者識別証ユニット９の詳細構成を示すブロック図である。
【図２３】第１及び第２の電圧監視部９０ｄ及び９１ｂにおける電圧監視の仕組みを示す図である。
【図２４】第３の所有者識別証ユニット９の回路構成を示す図である。
【図２５】第３の所有者識別証ユニット９のおける第１の構成部９０の動作処理を示すフローチャートである。
【図２６】第３の所有者識別証ユニット９における第２の構成部９１の動作処理を示すフローチャートである。
【図２７】リーダ・ライタ装置８の動作処理を示すフローチャートである。
【符号の説明】
【０１５６】
１…非接触データ通信システム、２…自転車、３…第１の所有者識別証ユニット、４…第２の所有者識別システム、５，８…リーダ・ライタ装置、６…第３の所有者識別システム、７…第２の所有者識別証ユニット、９…第３の所有者識別証ユニット、３０…第１の構成部、３１…第２の構成部、３０ａ…第１の電池ユニット、３０ｂ…第１の電圧監視部、３０ｃ…第１の取り外し検出部、３０ｄ…表示処理部、３０ｅ…電気泳動表示装置、３１ａ…第２の電池ユニット、３１ｂ…第２の電圧監視部、３１ｃ…第２の取り外し検出部、３１ｄ…警告音出力処理部、３１ｅ…スピーカ、３２，７２，９２…粘着シール、５０…データ受信部、５１…データ送信部、５２…制御部、５３…操作部、５４…ＲＡＭ、５５…ＲＯＭ、５６…表示部、５７…データ通信部、７０…第１の構成部、２７０ａ…駆動電力生成部、７０ｂ…第１の電圧監視部、７０ｃ…第１の取り外し検出部、７０ｄ…表示処理部、７０ｅ…電気泳動表示装置、７１…第２の構成部、７１ａ…電池ユニット、７１ｂ…第２の電圧監視部、７１ｃ…第２の取り外し検出部、７１ｄ…警告音出力処理部、７１ｅ…スピーカ、９０…第１の構成部、９０ａ…データ受信部、９０ｂ…データ送信部、９０ｃ…データ制御部、９０ｄ…第１の電圧監視部、９０ｅ…第１の取り外し検出部、９０ｆ…データ記憶部、９０ｇ…警告音出力処理部、９０ｈ…スピーカ、９０ｉ…第１の駆動電力生成部、９０ｊ…第１のコイルアンテナ、９１…第２の構成部、９１ａ…第２の駆動電力生成部、９１ｂ…第２の電圧監視部、９１ｃ…第２の取り外し検出部、９１ｄ…表示処理部、９１ｅ…電気泳動表示装置
【図１】
2005078417.tif 000003
【図２】
2005078417.tif 000004
【図３】
2005078417.tif 000005
【図４】
2005078417.tif 000006
【図５】
2005078417.tif 000007
【図６】
2005078417.tif 000008
【図７】
2005078417.tif 000009
【図８】
2005078417.tif 000010
【図９】
2005078417.tif 000011
【図１０】
2005078417.tif 000012
【図１１】
2005078417.tif 000013
【図１２】
2005078417.tif 000014
【図１３】
2005078417.tif 000015
【図１４】
2005078417.tif 000016
【図１５】
2005078417.tif 000017
【図１６】
2005078417.tif 000018
【図１７】
2005078417.tif 000019
【図１８】
2005078417.tif 000020
【図１９】
2005078417.tif 000021
【図２０】
2005078417.tif 000022
【図２１】
2005078417.tif 000023
【図２２】
2005078417.tif 000024
【図２３】
2005078417.tif 000025
【図２４】
2005078417.tif 000026
【図２５】
2005078417.tif 000027
【図２６】
2005078417.tif 000028
【図２７】
2005078417.tif 000029